(57)【要約】【課題】プライマリセル、第１のセカンダリセル及び第２のセカンダリセルが設定された端末のＡＣＫ／ＮＡＣＫ送信方法及び装置を提供する。【解決手段】前記方法は、前記第１のセカンダリセルからスケジューリング情報を受信し、前記第２のセカンダリセルからデータチャネルを受信し、前記データチャネルは、前記スケジューリング情報によりスケジューリングされ、及び前記プライマリセルを介して前記データチャネルに対するＡＣＫ／ＮＡＣＫを送信し、前記プライマリセル及び前記第１のセカンダリセルは、ＴＤＤ（ｔｉｍｅ  ｄｉｖｉｓｉｏｎ  ｄｕｐｌｅｘ）フレームを使用するセルであり、前記第２のセカンダリセルは、ＦＤＤ（ｆｒｅｑｕｅｎｃｙ  ｄｉｖｉｓｉｏｎ  ｄｕｐｌｅｘ）フレームを使用するセルであることを特徴とする。【選択図】図１５
2019165496.tif 000002
【特許請求の範囲】
【請求項１】
データチャネルを受信する方法であって、前記方法は、プライマリセル（ＰＣｅｌｌ）、第１のセカンダリセル（ＳＣｅｌｌ）及び第２のＳＣｅｌｌが設定されたＵＥ（ｕｓｅｒ  ｅｑｕｉｐｍｅｎｔ）により実行され、前記方法は、
スケジューリングのための情報を受信することと、
前記第２のＳＣｅｌｌから前記スケジューリングのための情報に基づいて前記データチャネルを受信することと
を含み、
前記ＰＣｅｌｌは、前記ＵＥと基地局との間の連結の動作をサポートするセルであり、
前記第１のＳＣｅｌｌ及び前記第２のＳＣｅｌｌは、前記ＰＣｅｌｌとともにアグリゲーションされ、
前記第２のＳＣｅｌｌは、前記第１のＳＣｅｌｌによってスケジューリングされ、
他のセルと違って、前記第１のＳＣｅｌｌ上でも前記第２のＳＣｅｌｌ上でも特定情報が提供されない、方法。
【請求項２】
前記ＵＥは、前記スケジューリングされたデータチャネルに対するＡＣＫ／ＮＡＣＫをネットワークに送信し、
前記ＰＣｅｌｌ及び前記第１のＳＣｅｌｌは、ＴＤＤ（ｔｉｍｅ  ｄｉｖｉｓｉｏｎ  ｄｕｐｌｅｘ）フレームを使用し、前記第２のＳＣｅｌｌは、ＦＤＤ（ｆｒｅｑｕｅｎｃｙ  ｄｉｖｉｓｉｏｎ  ｄｕｐｌｅｘ）フレームを使用する、請求項１に記載の方法。
【請求項３】
前記ＰＣｅｌｌ及び前記第１のＳＣｅｌｌは、それぞれ、以下の表によって表されるアップリンク−ダウンリンク設定のうち、異なるアップリンク−ダウンリンク設定を使用し、
【表１】
2019165496.tif 000016
前記表において、Ｄはダウンリンクサブフレームを示し、Ｓはスペシャルサブフレームを示し、Ｕはアップリンクサブフレームを示す、請求項２に記載の方法。
【請求項４】
前記データチャネルが前記第２のＳＣｅｌｌのサブフレームｎ−ｋにより受信され、前記データチャネルに対するＡＣＫ／ＮＡＣＫが前記ＰＣｅｌｌのサブフレームｎにより送信される場合、前記サブフレームｎに対する前記ｎ及び前記ｋは、以下の表によって決定される、
【表２】
2019165496.tif 000017
請求項３に記載の方法。
【請求項５】
前記アップリンク−ダウンリンク設定のうち一つが、基準アップリンク−ダウンリンク設定として決定され、前記基準アップリンク−ダウンリンク設定によって前記データチャネルに対する前記ＡＣＫ／ＮＡＣＫが送信される、請求項３に記載の方法。
【請求項６】
前記データチャネルが前記第２のＳＣｅｌｌのサブフレームｎ−ｋにより受信される場合、前記データチャネルに対する前記ＡＣＫ／ＮＡＣＫを送信する前記ＰＣｅｌｌのサブフレームｎは、前記第１のＳＣｅｌｌのサブフレームｎ−ｋにより前記データチャネルを受信する場合と同じように決定される、請求項５に記載の方法。
【請求項７】
プライマリセル（ＰＣｅｌｌ）、第１のセカンダリセル（ＳＣｅｌｌ）及び第２のＳＣｅｌｌが設定されたＵＥ（ｕｓｅｒ  ｅｑｕｉｐｍｅｎｔ）であって、前記ＵＥは、
無線信号を送信及び受信するように構成されるＲＦ（ｒａｄｉｏ  ｆｒｅｑｕｅｎｃｙ）部と、
前記ＲＦ部に連結されるプロセッサと
を含み、
前記プロセッサは、
スケジューリングのための情報を受信するように前記ＲＦ部を制御することと、
前記第２のＳＣｅｌｌから前記スケジューリングのための情報に基づいて前記データチャネルを受信するように前記ＲＦ部を制御することと
を実行するように構成され、
前記ＰＣｅｌｌは、前記ＵＥと基地局との間の連結の動作をサポートするセルであり、
前記第１のＳＣｅｌｌ及び前記第２のＳＣｅｌｌは、前記ＰＣｅｌｌとともにアグリゲーションされ、
前記第２のＳＣｅｌｌは、前記第１のＳＣｅｌｌによってスケジューリングされ、
他のセルと違って、前記第１のＳＣｅｌｌ上でも前記第２のＳＣｅｌｌ上でも特定情報が提供されない、ＵＥ。
【発明の詳細な説明】
【技術分野】
【０００１】
本発明は、無線通信に関し、より詳しくは、互いに異なる種類のフレームを使用するセルがアグリゲーションされた端末がＡＣＫ／ＮＡＣＫ（ａｃｋｎｏｗｌｅｄｇｅｍｅｎｔ／ｎｏｔ−ａｃｋｎｏｗｌｅｄｇｅｍｅｎｔ）を送信する方法及び装置に関する。
【背景技術】
【０００２】
３ＧＰＰ（３ｒｄ  Ｇｅｎｅｒａｔｉｏｎ  Ｐａｒｔｎｅｒｓｈｉｐ  Ｐｒｏｊｅｃｔ）ＴＳ（Ｔｅｃｈｎｉｃａｌ  Ｓｐｅｃｉｆｉｃａｔｉｏｎ）リリース（Ｒｅｌｅａｓｅ）８に基づくＬＴＥ（ｌｏｎｇ  ｔｅｒｍ  ｅｖｏｌｕｔｉｏｎ）は、有力な次世代移動通信標準である。
【０００３】
３ＧＰＰ  ＴＳ  ３６．２１１  Ｖ８．７．０（２００９−０５）“Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  Ｃｈａｎｎｅｌｓ  ａｎｄ  Ｍｏｄｕｌａｔｉｏｎ（Ｒｅｌｅａｓｅ８）”に開示されているように、ＬＴＥにおいて、物理チャネルは、ダウンリンクチャネルであるＰＤＳＣＨ（Ｐｈｙｓｉｃａｌ  Ｄｏｗｎｌｉｎｋ  Ｓｈａｒｅｄ  Ｃｈａｎｎｅｌ）とＰＤＣＣＨ（Ｐｈｙｓｉｃａｌ  Ｄｏｗｎｌｉｎｋ  Ｃｏｎｔｒｏｌ  Ｃｈａｎｎｅｌ）、及びアップリンクチャネルであるＰＵＳＣＨ（Ｐｈｙｓｉｃａｌ  Ｕｐｌｉｎｋ  Ｓｈａｒｅｄ  Ｃｈａｎｎｅｌ）とＰＵＣＣＨ（Ｐｈｙｓｉｃａｌ  Ｕｐｌｉｎｋ  Ｃｏｎｔｒｏｌ  Ｃｈａｎｎｅｌ）に分けられる。
【０００４】
ＰＵＣＣＨは、ＨＡＲＱ（ｈｙｂｒｉｄ  ａｕｔｏｍａｔｉｃ  ｒｅｐｅａｔ  ｒｅｑｕｅｓｔ）ＡＣＫ／ＮＡＣＫ（ａｃｋｎｏｗｌｅｄｇｅｍｅｎｔ／ｎｏｔ−ａｃｋｎｏｗｌｅｄｇｅｍｅｎｔ）信号、ＣＱＩ（Ｃｈａｎｎｅｌ  Ｑｕａｌｉｔｙ  Ｉｎｄｉｃａｔｏｒ）、ＳＲ（ｓｃｈｅｄｕｌｉｎｇ  ｒｅｑｕｅｓｔ）のようなアップリンク制御情報の送信に使われるアップリンク制御チャネルである。現在、３ＧＰＰ  ＬＴＥの進化である３ＧＰＰ  ＬＴＥ−Ａ（ａｄｖａｎｃｅｄ）が進行している。
【０００５】
一方、３ＧＰＰ  ＬＴＥの進化である３ＧＰＰ  ＬＴＥ−Ａ（ａｄｖａｎｃｅｄ）が進行している。３ＧＰＰ  ＬＴＥ−Ａに導入される技術ではキャリアアグリゲーション（ｃａｒｒｉｅｒ  ａｇｇｒｅｇａｔｉｏｎ）がある。
【０００６】
キャリアアグリゲーションは、複数のコンポーネントキャリア（ｃｏｍｐｏｎｅｎｔ  ｃａｒｒｉｅｒ）を使用する。コンポーネントキャリアは、中心周波数と帯域幅により定義される。一つのダウンリンクコンポーネントキャリア、またはアップリンクコンポーネントキャリアとダウンリンクコンポーネントキャリアとの対（ｐａｉｒ）が一つのセルに対応される。複数のダウンリンクコンポーネントキャリアを利用してサービスの提供を受ける端末は、複数のサービングセルからサービスの提供を受けるということができる。キャリアアグリゲーションでは、スケジューリングするセルとスケジューリングを受けるセルが互いに異なる交差搬送波スケジューリング（ｃｒｏｓｓ  ｃａｒｒｉｅｒ  ｓｃｈｅｄｕｌｉｎｇ）と、そうでない非交差搬送波スケジューリングとがある。
【０００７】
一方、次世代無線通信システムには、ＴＤＤ（ｔｉｍｅ  ｄｉｖｉｓｉｏｎ  ｄｕｐｌｅｘ）無線フレームを使用するサービングセルとＦＤＤ（ｆｒｅｑｕｅｎｃｙ  ｄｉｖｉｓｉｏｎ  ｄｕｐｌｅｘ）無線フレームを使用するサービングセルのように互いに異なる無線フレーム構造を使用するサービングセルがアグリゲーションされることができる。即ち、端末に互いに異なるタイプの無線フレームを使用する複数のサービングセルが割り当てられることができる。または、同じタイプの無線フレームを使用する複数のサービングセルがアグリゲーションされても、各サービングセルのＵＬ−ＤＬ設定（ｕｐｌｉｎｋ−ｄｏｗｎｌｉｎｋ  ｃｏｎｆｉｇｕｒａｔｉｏｎ）が異なることがある。
【０００８】
例えば、端末にＴＤＤフレームを使用するＴＤＤセルがプライマリセルに設定され、ＦＤＤフレームを使用するＦＤＤセルがセカンダリセルに設定されることができる。この場合、端末がＦＤＤセルのダウンリンクサブフレームでデータを受信した時、ＴＤＤセルのどのアップリンクサブフレームで前記データに対するＡＣＫ／ＮＡＣＫを送信するかが問題になることができる。例えば、ＡＣＫ／ＮＡＣＫを送信する時点を前記ＴＤＤセルのＡＣＫ／ＮＡＣＫタイミングにより決定するとしても、この方法は、ＦＤＤセルの一部ダウンリンクサブフレームに対しては適用することができないという問題がある。
【０００９】
ＴＤＤセルのＴＤＤフレームでは、アップリンクサブフレームが連続的に設定されることができない。即ち、ダウンリンクサブフレームとアップリンクサブフレームが互いに異なる時間に混在する。それに対し、ＦＤＤセルのＦＤＤフレームでは、ダウンリンクサブフレームとアップリンクサブフレームが互いに異なる周波数帯域で連続して設定される。したがって、ＴＤＤフレームのアップリンクサブフレームと同じ時間に存在するＦＤＤフレームのダウンリンクサブフレームでデータを受信した時、前記データに対するＡＣＫ／ＮＡＣＫをいつ送信するかが問題になることができる。
【００１０】
一方、キャリアアグリゲーションには必ず２個のセルをアグリゲーションすべきものではない。即ち、３個以上のセルがアグリゲーションされてもよい。このとき、各セルが互いに異なる種類の無線フレームを使用することができる。３個のセルがアグリゲーションされ、各セルが互いに異なる種類の無線フレームを使用する場合、端末のＡＣＫ／ＮＡＣＫ送信方法及び装置が必要である。
【先行技術文献】
【非特許文献】
【００１１】
【非特許文献１】３ＧＰＰ  ＴＳ  ３６．２１１  Ｖ８．７．０（２００９−０５）“Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  Ｃｈａｎｎｅｌｓ  ａｎｄ  Ｍｏｄｕｌａｔｉｏｎ（Ｒｅｌｅａｓｅ８）”
【発明の概要】
【発明が解決しようとする課題】
【００１２】
本発明が解決しようとする技術的課題は、互いに異なるタイプの無線フレームを使用する３個以上のサービングセルがアグリゲーションされた端末のＡＣＫ／ＮＡＣＫ送信方法及び装置を提供することにある。
【課題を解決するための手段】
【００１３】
一側面において、プライマリセル、第１のセカンダリセル及び第２のセカンダリセルが設定された端末のＡＣＫ／ＮＡＣＫ（ａｃｋｎｏｗｌｅｄｇｅｍｅｎｔ／ｎｏｔ−ａｃｋｎｏｗｌｅｄｇｅｍｅｎｔ）送信方法を提供する。前記方法は、前記第１のセカンダリセルからスケジューリング情報を受信し、前記第２のセカンダリセルからデータチャネルを受信し、前記データチャネルは、前記スケジューリング情報によりスケジューリングされ、及び前記プライマリセルを介して前記データチャネルに対するＡＣＫ／ＮＡＣＫを送信し、前記プライマリセル及び前記第１のセカンダリセルは、ＴＤＤ（ｔｉｍｅ  ｄｉｖｉｓｉｏｎ  ｄｕｐｌｅｘ）フレームを使用するセルであり、前記第２のセカンダリセルは、ＦＤＤ（ｆｒｅｑｕｅｎｃｙ  ｄｉｖｉｓｉｏｎ  ｄｕｐｌｅｘ）フレームを使用するセルであることを特徴とする。
【００１４】
他の側面において、プライマリセル、第１のセカンダリセル及び第２のセカンダリセルが設定された端末のＡＣＫ／ＮＡＣＫ（ａｃｋｎｏｗｌｅｄｇｅｍｅｎｔ／ｎｏｔ−ａｃｋｎｏｗｌｅｄｇｅｍｅｎｔ）送信方法を提供する。前記方法は、前記第１のセカンダリセルからスケジューリング情報を受信し、前記第２のセカンダリセルからデータチャネルを受信し、前記データチャネルは、前記スケジューリング情報によりスケジューリングされ、及び前記プライマリセルを介して前記データチャネルに対するＡＣＫ／ＮＡＣＫを送信し、前記プライマリセル及び前記第２のセカンダリセルは、ＴＤＤ（ｔｉｍｅ  ｄｉｖｉｓｉｏｎ  ｄｕｐｌｅｘ）フレームを使用するセルであり、前記第１のセカンダリセルは、ＦＤＤ（ｆｒｅｑｕｅｎｃｙ  ｄｉｖｉｓｉｏｎ  ｄｕｐｌｅｘ）フレームを使用するセルであることを特徴とする。
【００１５】
他の側面において、プライマリセル、第１のセカンダリセル及び第２のセカンダリセルが設定された端末は、無線信号を送信及び受信するＲＦ（ｒａｄｉｏ  ｆｒｅｑｕｅｎｃｙ）部；及び、前記ＲＦ部と連結されるプロセッサ；を含み、前記プロセッサは、前記第１のセカンダリセルからスケジューリング情報を受信し、前記第２のセカンダリセルからデータチャネルを受信し、前記データチャネルは、前記スケジューリング情報によりスケジューリングされ、及び前記プライマリセルを介して前記データチャネルに対するＡＣＫ／ＮＡＣＫを送信し、前記プライマリセル及び前記第１のセカンダリセルは、ＴＤＤ（ｔｉｍｅ  ｄｉｖｉｓｉｏｎ  ｄｕｐｌｅｘ）フレームを使用するセルであり、前記第２のセカンダリセルは、ＦＤＤ（ｆｒｅｑｕｅｎｃｙ  ｄｉｖｉｓｉｏｎ  ｄｕｐｌｅｘ）フレームを使用するセルであることを特徴とする。
（項目１）
プライマリセル、第１のセカンダリセル及び第２のセカンダリセルが設定された端末のＡＣＫ／ＮＡＣＫ（ａｃｋｎｏｗｌｅｄｇｅｍｅｎｔ／ｎｏｔ−ａｃｋｎｏｗｌｅｄｇｅｍｅｎｔ）送信方法において、
前記第１のセカンダリセルからスケジューリング情報を受信し、
前記第２のセカンダリセルからデータチャネルを受信し、前記データチャネルは、前記スケジューリング情報によりスケジューリングされ、及び
前記プライマリセルを介して前記データチャネルに対するＡＣＫ／ＮＡＣＫを送信し、
前記プライマリセル及び前記第１のセカンダリセルは、ＴＤＤ（ｔｉｍｅ  ｄｉｖｉｓｉｏｎ  ｄｕｐｌｅｘ）フレームを使用するセルであり、前記第２のセカンダリセルは、ＦＤＤ（ｆｒｅｑｕｅｎｃｙ  ｄｉｖｉｓｉｏｎ  ｄｕｐｌｅｘ）フレームを使用するセルであることを特徴とする方法。
（項目２）
前記プライマリセル及び前記第１のセカンダリセルの各々は、以下の表のようなアップリンク−ダウンリンク設定（Ｕｐｌｉｎｋ−ｄｏｗｎｌｉｎｋ  ｃｏｎｆｉｇｕｒａｔｏｎ：ＵＬ−ＤＬ  Ｃｏｎｆ．）のうち、互いに異なるアップリンク−ダウンリンク設定を使用することを特徴とする項目１に記載の方法。
【化１】
2019165496.tif 000003
前記表において、Ｄはダウンリンクサブフレームを示し、Ｓはスペシャルサブフレームを示し、Ｕはアップリンクサブフレームを示す。
（項目３）
前記データチャネルを前記第２のセカンダリセルのサブフレームｎ−ｋで受信し、前記データチャネルに対するＡＣＫ／ＮＡＣＫを前記プライマリセルのサブフレームｎで送信する場合、前記サブフレームｎに対する前記ｋ値は、以下の表のように決定されることを特徴とする項目２に記載の方法。
【化２】
2019165496.tif 000004
（項目４）
前記アップリンク−ダウンリンク設定のうち一つを基準アップリンク−ダウンリンク設定に定めて、前記基準アップリンク−ダウンリンク設定によって前記ＡＣＫ／ＮＡＣＫを送信することを特徴とする項目２に記載の方法。
（項目５）
前記データチャネルを前記第２のセカンダリセルのサブフレームｎ−ｋで受信した場合、前記データチャネルに対するＡＣＫ／ＮＡＣＫを送信する前記プライマリセルのサブフレームｎは、前記第１のセカンダリセルのサブフレームｎ−ｋで前記データチャネルを受信した場合と同じように決定されることを特徴とする項目４に記載の方法。
（項目６）
プライマリセル、第１のセカンダリセル及び第２のセカンダリセルが設定された端末のＡＣＫ／ＮＡＣＫ（ａｃｋｎｏｗｌｅｄｇｅｍｅｎｔ／ｎｏｔ−ａｃｋｎｏｗｌｅｄｇｅｍｅｎｔ）送信方法において、
前記第１のセカンダリセルからスケジューリング情報を受信し、
前記第２のセカンダリセルからデータチャネルを受信し、前記データチャネルは、前記スケジューリング情報によりスケジューリングされ、及び
前記プライマリセルを介して前記データチャネルに対するＡＣＫ／ＮＡＣＫを送信し、
前記プライマリセル及び前記第２のセカンダリセルは、ＴＤＤ（ｔｉｍｅ  ｄｉｖｉｓｉｏｎ  ｄｕｐｌｅｘ）フレームを使用するセルであり、前記第１のセカンダリセルは、ＦＤＤ（ｆｒｅｑｕｅｎｃｙ  ｄｉｖｉｓｉｏｎ  ｄｕｐｌｅｘ）フレームを使用するセルであることを特徴とする方法。
（項目７）
前記プライマリセル及び前記第２のセカンダリセルの各々は、以下の表のようなアップリンク−ダウンリンク設定（Ｕｐｌｉｎｋ−ｄｏｗｎｌｉｎｋ  ｃｏｎｆｉｇｕｒａｔｏｎ：ＵＬ−ＤＬ  Ｃｏｎｆ．）のうち、互いに異なるアップリンク−ダウンリンク設定を使用することを特徴とする項目６に記載の方法。
【化３】
2019165496.tif 000005
前記表において、Ｄはダウンリンクサブフレームを示し、Ｓはスペシャルサブフレームを示し、Ｕはアップリンクサブフレームを示す。
（項目８）
前記アップリンク−ダウンリンク設定のうち一つを基準アップリンク−ダウンリンク設定に定めて、前記基準アップリンク−ダウンリンク設定によって前記ＡＣＫ／ＮＡＣＫを送信することを特徴とする項目７に記載の方法。
（項目９）
前記データチャネルを前記第２のセカンダリセルのダウンリンクサブフレームＮで受信した場合、前記データチャネルに対するＡＣＫ／ＮＡＣＫは、前記プライマリセルのサブフレームＫで送信し、前記Ｋは、Ｎ＋４であることを特徴とする項目７に記載の方法。
（項目１０）
プライマリセル、第１のセカンダリセル及び第２のセカンダリセルが設定された端末は、
無線信号を送信及び受信するＲＦ（ｒａｄｉｏ  ｆｒｅｑｕｅｎｃｙ）部；及び、
前記ＲＦ部と連結されるプロセッサ；を含み、
前記プロセッサは、
前記第１のセカンダリセルからスケジューリング情報を受信し、前記第２のセカンダリセルからデータチャネルを受信し、前記データチャネルは、前記スケジューリング情報によりスケジューリングされ、及び前記プライマリセルを介して前記データチャネルに対するＡＣＫ／ＮＡＣＫを送信し、
前記プライマリセル及び前記第１のセカンダリセルは、ＴＤＤ（ｔｉｍｅ  ｄｉｖｉｓｉｏｎ  ｄｕｐｌｅｘ）フレームを使用するセルであり、前記第２のセカンダリセルは、ＦＤＤ（ｆｒｅｑｕｅｎｃｙ  ｄｉｖｉｓｉｏｎ  ｄｕｐｌｅｘ）フレームを使用するセルであることを特徴とする端末。
【発明の効果】
【００１６】
互いに異なるタイプの無線フレームを使用する３個以上のサービングセルがアグリゲーションされても端末のＡＣＫ／ＮＡＣＫ送信が可能なため、効率的にＨＡＲＱプロセスを運用することができる。
【図面の簡単な説明】
【００１７】
【図１】ＦＤＤ無線フレームの構造を示す。
【００１８】
【図２】ＴＤＤ無線フレームの構造を示す。
【００１９】
【図３】一つのダウンリンクスロットに対するリソースグリッド（ｒｅｓｏｕｒｃｅ  ｇｒｉｄ）の一例を示す。
【００２０】
【図４】ダウンリンクサブフレーム（ＤＬサブフレーム）の構造を示す。
【００２１】
【図５】アップリンクサブフレームの構造を示す。
【００２２】
【図６】ノーマルＣＰでＰＵＣＣＨフォーマット１ｂのチャネル構造を示す。
【００２３】
【図７】ノーマルＣＰでＰＵＣＣＨフォーマット２／２ａ／２ｂのチャネル構造を示す。
【００２４】
【図８】ＰＵＣＣＨフォーマット３のチャネル構造を例示する。
【００２５】
【図９】３ＧＰＰ  ＬＴＥにおいて、一つのセルで実行されるダウンリンクＨＡＲＱを例示する。
【００２６】
【図１０】単一搬送波システムとキャリアアグリゲーションシステムの比較例である。
【００２７】
【図１１】無線通信システムにおいて、複数のサービングセルが互いに異なるタイプの無線フレームを使用する一例を示す。
【００２８】
【図１２】無線通信システムにおいて、複数のサービングセルが互いに異なるタイプの無線フレームを使用する他の例を示す。
【００２９】
【図１３】図１３は、<ＴＤＤ０、ＴＤＤ２、ＦＤＤ>である場合を例示する。
【００３０】
【図１４】図１４は、<ＴＤＤ０、ＦＤＤ、ＴＤＤ２>である場合を例示する。
【００３１】
【図１５】図１５は、本発明の一実施例に係る端末のＡＣＫ／ＮＡＣＫ送信方法を示す。
【００３２】
【図１６】図１６は、本発明の実施例が具現される無線機器を示すブロック図である。
【発明を実施するための形態】
【００３３】
端末（Ｕｓｅｒ  Ｅｑｕｉｐｍｅｎｔ、ＵＥ）は、固定されてもよいし、移動性を有してもよく、ＭＳ（ｍｏｂｉｌｅ  ｓｔａｔｉｏｎ）、ＭＴ（ｍｏｂｉｌｅ  ｔｅｒｍｉｎａｌ）、ＵＴ（ｕｓｅｒ  ｔｅｒｍｉｎａｌ）、ＳＳ（ｓｕｂｓｃｒｉｂｅｒ  ｓｔａｔｉｏｎ）、無線機器（ｗｉｒｅｌｅｓｓ  ｄｅｖｉｃｅ）、ＰＤＡ（ｐｅｒｓｏｎａｌ  ｄｉｇｉｔａｌ  ａｓｓｉｓｔａｎｔ）、無線モデム（ｗｉｒｅｌｅｓｓ  ｍｏｄｅｍ）、携帯機器（ｈａｎｄｈｅｌｄ  ｄｅｖｉｃｅ）等、他の用語で呼ばれることもある。
【００３４】
基地局は、一般的に端末と通信する固定局（ｆｉｘｅｄ  ｓｔａｔｉｏｎ）を意味し、ｅＮＢ（ｅｖｏｌｖｅｄ−ＮｏｄｅＢ）、ＢＴＳ（Ｂａｓｅ  Ｔｒａｎｓｃｅｉｖｅｒ  Ｓｙｓｔｅｍ）、アクセスポイント（Ａｃｃｅｓｓ  Ｐｏｉｎｔ）等、他の用語で呼ばれることもある。
【００３５】
基地局から端末への通信をダウンリンク（ｄｏｗｎｌｉｎｋ：ＤＬ）といい、端末から基地局への通信をアップリンク（ｕｐｌｉｎｋ：ＵＬ）という。基地局及び端末を含む無線通信システムは、ＴＤＤ（ｔｉｍｅ  ｄｉｖｉｓｉｏｎ  ｄｕｐｌｅｘ）システムまたはＦＤＤ（ｆｒｅｑｕｅｎｃｙ  ｄｉｖｉｓｉｏｎ  ｄｕｐｌｅｘ）システムである。ＴＤＤシステムは、同じ周波数帯域で互いに異なる時間を使用してアップリンク及びダウンリンク送受信を実行する無線通信システムである。ＦＤＤシステムは、互いに異なる周波数帯域を使用し、同時にアップリンク及びダウンリンク送受信が可能な無線通信システムである。無線通信システムは、無線フレーム（簡単にフレームともいう）を使用して通信を実行することができる。
【００３６】
図１は、ＦＤＤ無線フレームの構造を示す。
【００３７】
ＦＤＤ無線フレーム（ｒａｄｉｏ  ｆｒａｍｅ）は、１０個のサブフレーム（ｓｕｂｆｒａｍｅ）を含み、一つのサブフレームは、２個の連続的なスロット（ｓｌｏｔ）を含む。無線フレーム内に含まれるスロットは、０〜１９のインデックスが付けられる。一つのサブフレームの送信にかかる時間をＴＴＩ（ｔｒａｎｓｍｉｓｓｉｏｎ  ｔｉｍｅ  ｉｎｔｅｒｖａｌ）といい、ＴＴＩは、最小スケジューリング単位（ｍｉｎｉｍｕｍ  ｓｃｈｅｄｕｌｉｎｇ  ｕｎｉｔ）である。例えば、一つのサブフレームの長さは１ｍｓであり、一つのスロットの長さは０．５ｍｓである。以下、ＦＤＤ無線フレームをＦＤＤフレームと略称する。
【００３８】
図２は、ＴＤＤ無線フレームの構造を示す。
【００３９】
図２を参照すると、ＴＤＤで使用するＴＤＤ無線フレームにはＤＬ（ｄｏｗｎｌｉｎｋ）サブフレームとＵＬ（Ｕｐｌｉｎｋ）サブフレームが共存する。表１は、無線フレームのＵＬ−ＤＬ設定（ＵＬ−ＤＬ  ｃｏｎｆｉｇｕｒａｔｉｏｎ）の一例を示す。
【００４０】
【表１】
2019165496.tif 000006
【００４１】
表１において、‘Ｄ’はＤＬサブフレームを示し、‘Ｕ’はＵＬサブフレームを示し、‘Ｓ’はスペシャルサブフレーム（ｓｐｅｃｉａｌ  ｓｕｂｆｒａｍｅ）を示す。基地局からＵＬ−ＤＬ設定を受信すると、端末は、無線フレームで各サブフレームがＤＬサブフレームであるか、またはＵＬサブフレームであるかを知ることができる。以下、ＵＬ−ＤＬ設定Ｎ（Ｎは、０〜６のうちいずれか一つ）は、前記表１を参照することができる。
【００４２】
ＴＤＤフレームで、インデックス＃１とインデックス＃６を有するサブフレームは、スペシャルサブフレームであり、スペシャルサブフレームは、ＤｗＰＴＳ（Ｄｏｗｎｌｉｎｋ  Ｐｉｌｏｔ  Ｔｉｍｅ  Ｓｌｏｔ）、ＧＰ（Ｇｕａｒｄ  Ｐｅｒｉｏｄ）及びＵｐＰＴＳ（Ｕｐｌｉｎｋ  Ｐｉｌｏｔ  Ｔｉｍｅ  Ｓｌｏｔ）を含む。ＤｗＰＴＳは、端末での初期セル探索、同期化またはチャネル推定に使われる。ＵｐＰＴＳは、基地局でのチャネル推定と端末のアップリンク送信同期を合わせるのに使われる。ＧＰは、アップリンクとダウンリンクとの間にダウンリンク信号の多重経路遅延によりアップリンクで発生する干渉を除去するための区間である。以下、ＴＤＤ無線フレームをＴＤＤフレームと略称する。
【００４３】
図３は、一つのダウンリンクスロットに対するリソースグリッド（ｒｅｓｏｕｒｃｅ  ｇｒｉｄ）の一例を示す。
【００４４】
図３を参照すると、ダウンリンクスロットは、時間領域で複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを含み、周波数領域でＮＲＢ個のリソースブロック（ＲＢ；Ｒｅｓｏｕｒｃｅ  Ｂｌｏｃｋ）を含むことができる。リソースブロックは、リソース割当単位であり、時間領域で一つのスロットを含み、周波数領域で複数の連続する副搬送波（ｓｕｂｃａｒｒｉｅｒ）を含む。ダウンリンクスロットに含まれるリソースブロックの数ＮＲＢは、セルで設定されるダウンリンク送信帯域幅（ｂａｎｄｗｉｄｔｈ）ＮＤＬに従属する。例えば、ＬＴＥシステムにおいて、ＮＲＢは、６〜１１０のうちいずれか一つである。アップリンクスロットの構造も前記ダウンリンクスロットの構造と同じである。
【００４５】
リソースグリッド上の各要素（ｅｌｅｍｅｎｔ）をリソース要素（ｒｅｓｏｕｒｃｅ  ｅｌｅｍｅｎｔ、ＲＥ）という。リソースグリッド上のリソース要素は、スロット内のインデックス対（ｐａｉｒ）（ｋ，ｌ）により識別されることができる。ここで、ｋ（ｋ＝０，．．．，ＮＲＢ×１２−１）は、周波数領域内の副搬送波インデックスであり、ｌ（ｌ＝０，．．．，６）は、時間領域内のＯＦＤＭシンボルインデックスである。
【００４６】
図３において、一つのリソースブロックは、時間領域で７ＯＦＤＭシンボルと、周波数領域で１２副搬送波とで構成されることで、７×１２リソース要素を含むと例示的に記述するが、リソースブロック内のＯＦＤＭシンボルの数と副搬送波の数は、これに制限されるものではない。ＯＦＤＭシンボルの数と副搬送波の数は、ＣＰの長さ、周波数間隔（ｆｒｅｑｕｅｎｃｙ  ｓｐａｃｉｎｇ）などによって多様に変更されることができる。一つのＯＦＤＭシンボルで、副搬送波の数は、１２８、２５６、５１２、１０２４、１５３６及び２０４８のうち一つを選定して使用することができる。
【００４７】
図４は、ダウンリンクサブフレーム（ＤＬサブフレーム）の構造を示す。
【００４８】
図４を参照すると、ＤＬサブフレームは、時間領域で制御領域（ｃｏｎｔｒｏｌ  ｒｅｇｉｏｎ）とデータ領域（ｄａｔａ  ｒｅｇｉｏｎ）とに分けられる。制御領域は、サブフレーム内の第１のスロットの前方部の最大３個（場合によって、最大４個）のＯＦＤＭシンボルを含むが、制御領域に含まれるＯＦＤＭシンボルの個数は変わることができる。制御領域には、ＰＤＣＣＨ（ｐｈｙｓｉｃａｌ  ｄｏｗｎｌｉｎｋ  ｃｏｎｔｒｏｌ  ｃｈａｎｎｅｌ）及び他の制御チャネルが割り当てられ、データ領域には、ＰＤＳＣＨ（ｐｈｙｓｉｃａｌ  ｄｏｗｎｌｉｎｋ  ｓｈａｒｅｄ  ｃｈａｎｎｅｌ）が割り当てられる。
【００４９】
３ＧＰＰ  ＴＳ  ３６．２１１  Ｖ８．７．０に開示されているように、３ＧＰＰ  ＬＴＥにおいて、物理チャネルは、データチャネルであるＰＤＳＣＨ（Ｐｈｙｓｉｃａｌ  Ｄｏｗｎｌｉｎｋ  Ｓｈａｒｅｄ  Ｃｈａｎｎｅｌ）とＰＵＳＣＨ（Ｐｈｙｓｉｃａｌ  Ｕｐｌｉｎｋ  Ｓｈａｒｅｄ  Ｃｈａｎｎｅｌ）、及び制御チャネルであるＰＤＣＣＨ（Ｐｈｙｓｉｃａｌ  Ｄｏｗｎｌｉｎｋ  Ｃｏｎｔｒｏｌ  Ｃｈａｎｎｅｌ）、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＨＩＣＨ（Ｐｈｙｓｉｃａｌ  Ｈｙｂｒｉｄ−ＡＲＱ  Ｉｎｄｉｃａｔｏｒ
Ｃｈａｎｎｅｌ）、ＰＵＣＣＨ（Ｐｈｙｓｉｃａｌ  Ｕｐｌｉｎｋ  Ｃｏｎｔｒｏｌ  Ｃｈａｎｎｅｌ）に分けられる。
【００５０】
サブフレームの１番目のＯＦＤＭシンボルで送信されるＰＣＦＩＣＨは、サブフレーム内で制御チャネルの送信に使われるＯＦＤＭシンボルの数（即ち、制御領域の大きさ）に対するＣＦＩ（ｃｏｎｔｒｏｌ  ｆｏｒｍａｔ  ｉｎｄｉｃａｔｏｒ）を伝送する。端末は、まず、ＰＣＦＩＣＨ上にＣＦＩを受信した後、ＰＤＣＣＨをモニタリングする。ＰＤＣＣＨと違って、ＰＣＦＩＣＨは、ブラインドデコーディング（ｂｌｉｎｄ  ｄｅｃｏｄｉｎｇ）を使用せずに、サブフレームの固定されたＰＣＦＩＣＨリソースを介して送信される。
【００５１】
ＰＨＩＣＨは、アップリンクＨＡＲＱ（ｈｙｂｒｉｄ  ａｕｔｏｍａｔｉｃ  ｒｅｐｅａｔ  ｒｅｑｕｅｓｔ）のためのＡＣＫ（ａｃｋｎｏｗｌｅｄｇｅｍｅｎｔ）／ＮＡＣＫ（ｎｏｔ−ａｃｋｎｏｗｌｅｄｇｅｍｅｎｔ）信号を伝送する。即ち、端末により送信されるＰＵＳＣＨ上のＵＬ（ｕｐｌｉｎｋ）データに対するＡＣＫ／ＮＡＣＫ信号は、ＰＨＩＣＨ上に基地局により送信される。
【００５２】
ＰＢＣＨ（Ｐｈｙｓｉｃａｌ  Ｂｒｏａｄｃａｓｔ  Ｃｈａｎｎｅｌ）は、無線フレームの１番目のサブフレームの第２のスロットの前方部の４個のＯＦＤＭシンボルで送信される。ＰＢＣＨは、端末が基地局と通信するときに必須なシステム情報を伝送し、ＰＢＣＨを介して送信されるシステム情報をＭＩＢ（ｍａｓｔｅｒ  ｉｎｆｏｒｍａｔｉｏｎ  ｂｌｏｃｋ）という。これと比較して、ＰＤＣＣＨにより指示されるＰＤＳＣＨ上に送信されるシステム情報をＳＩＢ（ｓｙｓｔｅｍ  ｉｎｆｏｒｍａｔｉｏｎ  ｂｌｏｃｋ）という。
【００５３】
ＰＤＣＣＨを介して送信される制御情報をダウンリンク制御情報（ｄｏｗｎｌｉｎｋ  ｃｏｎｔｒｏｌ  ｉｎｆｏｒｍａｔｉｏｎ、ＤＣＩ）という。ＤＣＩは、ＰＤＳＣＨのリソース割当（これをＤＬグラント（ｄｏｗｎｌｉｎｋ  ｇｒａｎｔ）ともいう）、ＰＵＳＣＨのリソース割当（これをＵＬグラント（ｕｐｌｉｎｋ  ｇｒａｎｔ）ともいう）、任意のＵＥグループ内の個別ＵＥに対する送信パワー制御命令の集合及び／またはＶｏＩＰ（Ｖｏｉｃｅ  ｏｖｅｒ  Ｉｎｔｅｒｎｅｔ  Ｐｒｏｔｏｃｏｌ）の活性化を含むことができる。ＤＣＩは、多様なフォーマット（ｆｏｒｍａｔ）を有することができる。
【００５４】
サブフレーム内の制御領域は、複数のＣＣＥ（ｃｏｎｔｒｏｌ  ｃｈａｎｎｅｌ  ｅｌｅｍｅｎｔ）を含む。ＣＣＥは、無線チャネルの状態による符号化率をＰＤＣＣＨに提供するために使われる論理的割当単位であって、複数のＲＥＧ（ｒｅｓｏｕｒｃｅ  ｅｌｅｍｅｎｔ  ｇｒｏｕｐ）に対応される。ＲＥＧは、複数のリソース要素（ｒｅｓｏｕｒｃｅ  ｅｌｅｍｅｎｔ）を含む。ＣＣＥの数とＣＣＥにより提供される符号化率との連関関係によって、ＰＤＣＣＨのフォーマット及び可能なＰＤＣＣＨのビット数が決定される。
【００５５】
一つのＲＥＧは、４個のＲＥを含み、一つのＣＣＥは、９個のＲＥＧを含む。一つのＰＤＣＣＨを構成するために｛１，２，４，８｝個のＣＣＥを使用することができ、｛１，２，４，８｝の各々の要素をＣＣＥアグリゲーションレベル（ａｇｇｒｅｇａｔｉｏｎ  ｌｅｖｅｌ）という。
【００５６】
ＰＤＤＣＨの送信に使われるＣＣＥの個数は、基地局がチャネル状態によって決定する。
【００５７】
３ＧＰＰ  ＬＴＥでは、ＰＤＣＣＨの検出のためにブラインドデコーディング（ｂｌｉｎｄ  ｄｅｃｏｄｉｎｇ）を使用する。ブラインドデコーディングは、受信されるＰＤＣＣＨ（これをＰＤＣＣＨ候補（ｃａｎｄｉｄａｔｅ）という）のＣＲＣ（ｃｙｃｌｉｃ  ｒｅｄｕｎｄａｎｃｙ  ｃｈｅｃｋ）に所望の識別子をデマスキング（ｄｅ−ｍａｓｋｉｎｇ）し、ＣＲＣエラーをチェックすることで該当ＰＤＣＣＨが自分の制御チャネルかどうかを確認する方式である。端末は、自分のＰＤＣＣＨが制御領域内でどの位置でどんなＣＣＥアグリゲーションレベルやＤＣＩフォーマットを使用して送信されるかを知らない。
【００５８】
一つのサブフレーム内で複数のＰＤＣＣＨが送信されることができる。端末は、サブフレームごとに複数のＰＤＣＣＨをモニタリングする。ここで、モニタリングとは、端末がモニタリングされるＰＤＣＣＨフォーマットによってＰＤＣＣＨのデコーディングを試みることである。
【００５９】
３ＧＰＰ  ＬＴＥでは、ブラインドデコーディングによる負担を減らすために、検索空間（ｓｅａｒｃｈ  ｓｐａｃｅ）を使用する。検索空間は、ＰＤＣＣＨのためのＣＣＥのモニタリングセット（ｍｏｎｉｔｏｒｉｎｇ  ｓｅｔ）ということができる。端末は、該当する検索空間内でＰＤＣＣＨをモニタリングする。
【００６０】
検索空間は、共用検索空間（ｃｏｍｍｏｎ  ｓｅａｒｃｈ  ｓｐａｃｅ：ＣＳＳ）と端末特定検索空間（ＵＥ−ｓｐｅｃｉｆｉｃ  ｓｅａｒｃｈ  ｓｐａｃｅ：ＵＳＳ）とに分けられる。共用検索空間は、共用制御情報を有するＰＤＣＣＨを検索する空間であって、ＣＣＥインデックス０〜１５までの１６個のＣＣＥで構成され、｛４，８｝のＣＣＥアグリゲーションレベルを有するＰＤＣＣＨをサポートする。しかし、共用検索空間にも端末特定情報を伝送するＰＤＣＣＨ（ＤＣＩフォーマット０、１Ａ）が送信されることもできる。端末特定検索空間は、｛１，２，４，８｝のＣＣＥアグリゲーションレベルを有するＰＤＣＣＨをサポートする。
【００６１】
検索空間の開始点は、共用検索空間と端末特定検索空間が異なるように定義される。共用検索空間の開始点は、サブフレームに関係なく固定されているが、端末特定検索空間の開始点は、端末識別子（例えば、Ｃ−ＲＮＴＩ）、ＣＣＥアグリゲーションレベル及び／または無線フレーム内のスロット番号によってサブフレームごとに変わることができる。端末特定検索空間の開始点が共用検索空間内にある場合、端末特定検索空間と共用検索空間は、重複（ｏｖｅｒｌａｐ）されることができる。
【００６２】
図５は、アップリンクサブフレームの構造を示す。
【００６３】
図５を参照すると、アップリンクサブフレームは、周波数領域で、アップリンク制御情報を伝送するＰＵＣＣＨ（Ｐｈｙｓｉｃａｌ  Ｕｐｌｉｎｋ  Ｃｏｎｔｒｏｌ  Ｃｈａｎｎｅｌ）が割り当てられる制御領域（ｃｏｎｔｒｏｌ  ｒｅｇｉｏｎ）と、ユーザデータを伝送するＰＵＳＣＨ（Ｐｈｙｓｉｃａｌ  Ｕｐｌｉｎｋ  Ｓｈａｒｅｄ  Ｃｈａｎｎｅｌ）が割り当てられるデータ領域（ｄａｔａ  ｒｅｇｉｏｎ）と、に分けられる。
【００６４】
ＰＵＣＣＨは、サブフレームでＲＢ対（ｐａｉｒ）で割り当てられる。ＲＢ対に属するＲＢは、第１のスロットと第２のスロットの各々で互いに異なる副搬送波を占める。ＲＢ対は、同じリソースブロックインデックスｍを有する。
【００６５】
３ＧＰＰ  ＴＳ  ３６．２１１  Ｖ８．７．０によると、ＰＵＣＣＨは、多重フォーマットをサポートする。ＰＵＣＣＨフォーマットに従属した変調方式（ｍｏｄｕｌａｔｉｏｎ  ｓｃｈｅｍｅ）によってサブフレーム当たり送信されるビットの数は変わることができる。
【００６６】
以下の表２は、ＰＵＣＣＨフォーマットによる変調方式（Ｍｏｄｕｌａｔｉｏｎ  Ｓｃｈｅｍｅ）及びサブフレーム当たりビット数の例を示す。
【００６７】
【表２】
2019165496.tif 000007
【００６８】
ＰＵＣＣＨフォーマット１はＳＲ（Ｓｃｈｅｄｕｌｉｎｇ  Ｒｅｑｕｅｓｔ）の送信に使われ、ＰＵＣＣＨフォーマット１ａ／１ｂはＨＡＲＱのためのＡＣＫ／ＮＡＣＫ信号の送信に使われ、ＰＵＣＣＨフォーマット２はＣＱＩの送信に使われ、ＰＵＣＣＨフォーマット２ａ／２ｂはＣＱＩ及びＡＣＫ／ＮＡＣＫ信号の同時（ｓｉｍｕｌｔａｎｅｏｕｓ）送信に使われる。サブフレームで、ＡＣＫ／ＮＡＣＫ信号のみを送信する時、ＰＵＣＣＨフォーマット１ａ／１ｂが使われ、ＳＲが単独に送信される時、ＰＵＣＣＨフォーマット１が使われる。ＳＲとＡＣＫ／ＮＡＣＫを同時に送信する時は、ＰＵＣＣＨフォーマット１が使われ、ＳＲに割り当てられたリソースにＡＣＫ／ＮＡＣＫ信号を変調して送信する。
【００６９】
全てのＰＵＣＣＨフォーマットは、各ＯＦＤＭシンボルでシーケンスの循環シフト（ｃｙｃｌｉｃ  ｓｈｉｆｔ、ＣＳ）を使用する。循環シフトされたシーケンスは、基本シーケンス（ｂａｓｅ  ｓｅｑｕｅｎｃｅ）を特定ＣＳ量（ｃｙｃｌｉｃ  ｓｈｉｆｔ  ａｍｏｕｎｔ）ほど循環シフトさせて生成される。特定ＣＳ量は、循環シフトインデックス（ＣＳ  ｉｎｄｅｘ）により指示される。
【００７０】
基本シーケンスｒｕ（ｎ）を定義した一例は、以下の数式の通りである。
【００７１】
【数１】
2019165496.tif 000008
【００７２】
ここで、ｕはルートインデックス（ｒｏｏｔ  ｉｎｄｅｘ）であり、ｎは要素インデックスであり、０≦ｎ≦Ｎ−１、Ｎは基本シーケンスの長さである。ｂ（ｎ）は、３ＧＰＰ  ＴＳ  ３６．２１１  Ｖ８．７．０の５．５節で定義されている。
【００７３】
シーケンスの長さは、シーケンスに含まれる要素（ｅｌｅｍｅｎｔ）の数と同じである。ｕは、セルＩＤ（ｉｄｅｎｔｉｆｉｅｒ）、無線フレーム内のスロット番号などにより決められる。
【００７４】
基本シーケンスが周波数領域で一つのリソースブロックにマッピング（ｍａｐｐｉｎｇ）されるとする時、一つのリソースブロックが１２副搬送波を含むため、基本シーケンスの長さＮは１２になる。異なるルートインデックスによって異なる基本シーケンスが定義される。
【００７５】
基本シーケンスｒ（ｎ）を以下の数式２のように循環シフトさせ、循環シフトされたシーケンスｒ（ｎ，Ｉｃｓ）を生成することができる。
【００７６】
【数２】
2019165496.tif 000009
【００７７】
ここで、Ｉｃｓは、ＣＳ量を示す循環シフトインデックスである（０≦Ｉｃｓ≦Ｎ−１）。
【００７８】
基本シーケンスの可用（ａｖａｉｌａｂｌｅ）循環シフトインデックスは、ＣＳ間隔（ＣＳ  ｉｎｔｅｒｖａｌ）によって基本シーケンスから得る（ｄｅｒｉｖｅ）ことができる循環シフトインデックスを意味する。例えば、基本シーケンスの長さが１２であり、ＣＳ間隔が１の場合、基本シーケンスの可用循環シフトインデックスの総個数は１２になる。または、基本シーケンスの長さが１２であり、ＣＳ間隔が２の場合、基本シーケンスの可用循環シフトインデックスの総数は６になる。
【００７９】
図６は、ノーマルＣＰでＰＵＣＣＨフォーマット１ｂのチャネル構造を示す。
【００８０】
一つのスロットは７個のＯＦＤＭシンボルを含み、３個のＯＦＤＭシンボルは基準信号のためのＲＳ（Ｒｅｆｅｒｅｎｃｅ  Ｓｉｇｎａｌ）ＯＦＤＭシンボルになり、４個のＯＦＤＭシンボルはＡＣＫ／ＮＡＣＫ信号のためのデータＯＦＤＭシンボルになる。
【００８１】
ＰＵＣＣＨフォーマット１ｂでは、エンコーディングされた２ビットＡＣＫ／ＮＡＣＫ信号をＱＰＳＫ（Ｑｕａｄｒａｔｕｒｅ  Ｐｈａｓｅ  Ｓｈｉｆｔ  Ｋｅｙｉｎｇ）変調して変調シンボルｄ（０）が生成される。
【００８２】
循環シフトインデックスＩｃｓは、無線フレーム内のスロット番号（ｎｓ）及び／またはスロット内のシンボルインデックス（ｌ）によって変わることができる。
【００８３】
ノーマルＣＰで、一つのスロットにＡＣＫ／ＮＡＣＫ信号の送信のために４個のデータＯＦＤＭシンボルがあるため、各データＯＦＤＭシンボルで対応する循環シフトインデックスをＩｃｓ０、Ｉｃｓ１、Ｉｃｓ２、Ｉｃｓ３と仮定する。
【００８４】
変調シンボルｄ（０）は、循環シフトされたシーケンスｒ（ｎ，Ｉｃｓ）に拡散される。スロットで（ｉ＋１）番目のＯＦＤＭシンボルに対応する１次元拡散されたシーケンスをｍ（ｉ）とする時、
【００８５】
｛ｍ（０），ｍ（１），ｍ（２），ｍ（３）｝＝｛ｄ（０）ｒ（ｎ，Ｉｃｓ０），ｄ（０）ｒ（ｎ，Ｉｃｓ１），ｄ（０）ｒ（ｎ，Ｉｃｓ２），ｄ（０）ｒ（ｎ，Ｉｃｓ３）｝で表すことができる。
【００８６】
端末容量を増加させるために、１次元拡散されたシーケンスは、直交シーケンスを利用して拡散されることができる。拡散係数（ｓｐｒｅａｄｉｎｇ  ｆａｃｔｏｒ）Ｋ＝４である直交シーケンスｗｉ（ｋ）（ｉは、シーケンスインデックス、０≦ｋ≦Ｋ−１）として、下記のようなシーケンスを使用する。
【００８７】
【表３】
2019165496.tif 000010
【００８８】
拡散係数Ｋ＝３である直交シーケンスｗｉ（ｋ）（ｉは、シーケンスインデックス、０≦ｋ≦Ｋ−１）として、下記のようなシーケンスを使用する。
【００８９】
【表４】
2019165496.tif 000011
【００９０】
スロット毎に異なる拡散係数を使用することができる。
【００９１】
したがって、任意の直交シーケンスインデックスｉが与えられる時、２次元拡散されたシーケンス｛ｓ（０），ｓ（１），ｓ（２），ｓ（３）｝は、下記のように示すことができる。
【００９２】
｛ｓ（０），ｓ（１），ｓ（２），ｓ（３）｝＝｛ｗｉ（０）ｍ（０），ｗｉ（１）ｍ（１），ｗｉ（２）ｍ（２），ｗｉ（３）ｍ（３）｝
【００９３】
２次元拡散されたシーケンス｛ｓ（０），ｓ（１），ｓ（２），ｓ（３）｝は、ＩＦＦＴ（ｉｎｖｅｒｓｅ  ｆａｓｔ  Ｆｏｕｒｉｅｒ  ｔｒａｎｓｆｏｒｍ）が実行された後、対応するＯＦＤＭシンボルで送信される。それによって、ＡＣＫ／ＮＡＣＫ信号がＰＵＣＣＨ上に送信される。
【００９４】
ＰＵＣＣＨフォーマット１ｂの基準信号も基本シーケンスｒ（ｎ）を循環シフトさせた後、直交シーケンスに拡散させて送信される。３個のＲＳ  ＯＦＤＭシンボルに対応する循環シフトインデックスをＩｃｓ４、Ｉｃｓ５、Ｉｃｓ６とする時、３個の循環シフトされたシーケンスｒ（ｎ，Ｉｃｓ４）、ｒ（ｎ，Ｉｃｓ５）、ｒ（ｎ，Ｉｃｓ６）を得ることができる。この３個の循環シフトされたシーケンスは、Ｋ＝３である直交シーケンスｗＲＳｉ（ｋ）に拡散される。
【００９５】
直交シーケンスインデックスｉ、循環シフトインデックスＩｃｓ及びリソースブロックインデックスｍは、ＰＵＣＣＨを構成するために必要なパラメータであり、ＰＵＣＣＨ（または、端末）を区分するときに使われるリソースである。可用循環シフトの個数が１２であり、可用な直交シーケンスインデックスの個数が３の場合、総３６個の端末に対するＰＵＣＣＨが一つのリソースブロックに多重化されることができる。
【００９６】
３ＧＰＰ  ＬＴＥでは、端末がＰＵＣＣＨを構成するための前記３個のパラメータを取得するために、リソースインデックスｎ（１）ＰＵＣＣＨが定義される。リソースインデックスｎ（１）ＰＵＣＣＨ＝ｎＣＣＥ＋Ｎ（１）ＰＵＣＣＨに定義され、ｎＣＣＥは、対応するＰＤＣＣＨ（即ち、ＡＣＫ／ＮＡＣＫ信号に対応するダウンリンクデータをスケジューリングするダウンリンクリソース割当（ＤＣＩ）を含むＰＤＣＣＨ）の送信に使われる１番目のＣＣＥの番号であり、Ｎ（１）ＰＵＣＣＨは、基地局が端末に上位階層メッセージを介して知らせるパラメータである。
【００９７】
ＡＣＫ／ＮＡＣＫ信号の送信に使われる時間、周波数、コードリソースをＡＣＫ／ＮＡＣＫリソースまたはＰＵＣＣＨリソースという。前述したように、ＡＣＫ／ＮＡＣＫ信号をＰＵＣＣＨ上に送信するために必要なＡＣＫ／ＮＡＣＫリソースのインデックス（ＡＣＫ／ＮＡＣＫリソースインデックスまたはＰＵＣＣＨインデックスという）は、直交シーケンスインデックスｉ、循環シフトインデックスＩｃｓ、リソースブロックインデックスｍ及び前記３個のインデックスを求めるためのインデックスのうち少なくともいずれか一つで表現されることができる。ＡＣＫ／ＮＡＣＫリソースは、直交シーケンス、循環シフト、リソースブロック及びこれらの組合せのうち少なくともいずれか一つを含むことができる。
【００９８】
図７は、ノーマルＣＰでＰＵＣＣＨフォーマット２／２ａ／２ｂのチャネル構造を示す。
【００９９】
図７を参照すると、ノーマルＣＰで、ＯＦＤＭシンボル１及び５（即ち、２番目及び６番目のＯＦＤＭシンボル）は参照信号（ＲＳ）のために使われ、残りのＯＦＤＭシンボルはＣＱＩ送信のために使われる。拡張ＣＰでは、ＯＦＤＭシンボル３（４番目のシンボル）がＲＳのために使われる。
【０１００】
１０個のＣＱＩ情報ビットが、例えば、１／２コードレート（ｃｏｄｅ  ｒａｔｅ）でチャネルコーディングされ、２０個のコーディングされたビットになる。チャネルコーディングには、リードマラー（Ｒｅｅｄ−Ｍｕｌｌｅｒ）コードが使われることができる。また、スクランブリング（ｓｃｒａｍｂｌｉｎｇ）された後、ＱＰＳＫコンステレーションマッピング（ｃｏｎｓｔｅｌｌａｔｉｏｎ  ｍａｐｐｉｎｇ）されることで、ＱＰＳＫ変調シンボルが生成される（スロット０で、ｄ（０）乃至ｄ（４））。各ＱＰＳＫ変調シンボルは、長さ１２である基本ＲＳシーケンス（ｒ（ｎ））の循環シフトに変調された後にＩＦＦＴされ、サブフレーム内の１０個のＳＣ−ＦＤＭＡシンボルの各々で送信される。均一に離隔された１２個の循環シフトは、１２個の互いに異なる端末が同じＰＵＣＣＨリソースブロックで直交に多重化されるようにする。ＯＦＤＭシンボル１及び５に適用されるＲＳシーケンスは、長さ１２である基本ＲＳシーケンス（ｒ（ｎ））が使われることができる。
【０１０１】
図８は、ＰＵＣＣＨフォーマット３のチャネル構造を例示する。
【０１０２】
図８を参照すると、ＰＵＣＣＨフォーマット３は、ブロックスプレッディング（ｂｌｏｃｋ  ｓｐｒｅａｄｉｎｇ）技法を使用するＰＵＣＣＨフォーマットである。ブロックスプレッディング技法は、ブロックスプレッディングコードを利用してマルチビットＡＣＫ／ＮＡＣＫを変調したシンボルシーケンスを時間領域で拡散する方法を意味する。
【０１０３】
ＰＵＣＣＨフォーマット３では、シンボルシーケンス（例えば、ＡＣＫ／ＮＡＣＫシンボルシーケンス）がブロックスプレッディングコードにより時間領域で拡散されて送信される。ブロックスプレッディングコードとして、直交カバーコード（ｏｒｔｈｏｇｏｎａｌ  ｃｏｖｅｒ  ｃｏｄｅ：ＯＣＣ）が使われることができる。ブロックスプレッディングコードにより複数の端末の制御信号が多重化されることができる。ＰＵＣＣＨフォーマット２では、各データシンボルで送信されるシンボル（例えば、図７のｄ（０）、ｄ（１）、ｄ（２）、ｄ（３）、ｄ（４）等）が異なり、ＣＡＺＡＣ（ｃｏｎｓｔａｎｔ  ａｍｐｌｉｔｕｄｅ  ｚｅｒｏ  ａｕｔｏ−ｃｏｒｒｅｌａｔｉｏｎ）シーケンスの循環シフトを利用して端末多重化を実行し、それに対し、ＰＵＣＣＨフォーマット３では、一つ以上のシンボルで構成されるシンボルシーケンスが各データシンボルの周波数領域にわたって送信され、ブロックスプレッディングコードにより時間領域で拡散されて端末多重化を実行するという点が異なる。図８では、一つのスロットで２個のＲＳシンボルを使用する場合を例示したが、これに制限されるものではなく、３個のＲＳシンボルを使用し、スプレッディングファクタ（ｓｐｒｅａｄｉｎｇ  ｆａｃｔｏｒ）値として４を有する直交カバーコードを使用することもできる。ＲＳシンボルは、特定循環シフトを有するＣＡＺＡＣシーケンスから生成されることができ、時間領域の複数のＲＳシンボルに特定直交カバーコードをかけた形態に送信されることができる。
【０１０４】
図９は、３ＧＰＰ  ＬＴＥにおいて、一つのセルで実行されるダウンリンクＨＡＲＱを例示する。
【０１０５】
図９を参照すると、基地局は、端末にサブフレームｎでＰＤＣＣＨ４１１上のダウンリンクリソース割当により指示されるＰＤＳＣＨ４１２上にダウンリンクデータ（例えば、ダウンリンクトランスポートブロック）を送信する。
【０１０６】
端末は、サブフレームｎ＋４でＰＵＣＣＨ４２０上にＡＣＫ／ＮＡＣＫ信号を送る。一例として、ＡＣＫ／ＮＡＣＫ信号の送信に使われるＰＵＣＣＨ４２０のリソースは、ＰＤＣＣＨ４１１のリソース（例えば、前記ＰＤＣＣＨ４１１の送信に使われる１番目のＣＣＥのインデックス）に基づいて決定されることができる。
【０１０７】
基地局は、端末からＮＡＣＫ信号を受信しても、アップリンクＨＡＲＱと違って必ずサブフレームｎ＋８で再送信するものではない。ここでは、ｎ＋９番目のサブフレームでＰＤＣＣＨ４３１上のダウンリンクリソース割当により指示されるＰＤＳＣＨ４３２上に再トランスポートブロックを送信する例を示している。
【０１０８】
端末は、ｎ＋１３番目のサブフレームでＰＵＣＣＨ４４０上にＡＣＫ／ＮＡＣＫ信号を送る。
【０１０９】
アップリンクＨＡＲＱは、基地局のＵＬグラント送信、端末のＰＵＳＣＨ送信（前記ＵＬグラントによりスケジューリングされた）、前記ＰＵＳＣＨに対するＡＣＫ／ＮＡＣＫを前記基地局がＰＨＩＣＨを介して送信し、または新しいＵＬグラントを送信する過程で構成される。アップリンクＨＡＲＱは、ＵＬグラントとＰＵＳＣＨとの間及びＰＵＳＣＨとＰＨＩＣＨ（または、ＵＬグラント）との間の間隔が予め４ｍｓに決められることができる。
【０１１０】
以下、キャリアアグリゲーション（ｃａｒｒｉｅｒ  ａｇｇｒｅｇａｔｉｏｎ）システムに対して説明する。キャリアアグリゲーションシステムは、多重搬送波（ｍｕｌｔｉｐｌｅ  ｃａｒｒｉｅｒ）システムとも呼ばれる。
【０１１１】
３ＧＰＰ  ＬＴＥシステムは、ダウンリンク帯域幅とアップリンク帯域幅が異なるように設定される場合をサポートするが、これは一つのコンポーネントキャリア（ｃｏｍｐｏｎｅｎｔ  ｃａｒｒｉｅｒ、ＣＣ）を前提とする。３ＧＰＰ  ＬＴＥシステムは、最大２０ＭＨｚをサポートし、アップリンク帯域幅とダウンリンク帯域幅は異なることがあるが、アップリンクとダウンリンクの各々に一つのＣＣのみをサポートする。
【０１１２】
キャリアアグリゲーション（ｃａｒｒｉｅｒ  ａｇｇｒｅｇａｔｉｏｎ）（または、帯域幅アグリゲーション（ｂａｎｄｗｉｄｔｈ  ａｇｇｒｅｇａｔｉｏｎ）、スペクトラムアグリゲーション（ｓｐｅｃｔｒｕｍ  ａｇｇｒｅｇａｔｉｏｎ）とも呼ばれる）は、複数のＣＣをサポートする。例えば、２０ＭＨｚ帯域幅を有する搬送波単位のグラニュラリティ（ｇｒａｎｕｌａｒｉｔｙ）として５個のＣＣが割り当てられる場合、最大１００Ｍｈｚの帯域幅をサポートすることができる。
【０１１３】
図１０は、単一搬送波システムとキャリアアグリゲーションシステムの比較例である。
【０１１４】
キャリアアグリゲーションシステム（図１０（ｂ））は、ＤＬ  ＣＣとＵＬ  ＣＣが各々３個ずつあるが、ＤＬ  ＣＣとＵＬ  ＣＣの個数に制限があるものてはない。各ＤＬ  ＣＣでＰＤＣＣＨとＰＤＳＣＨが独立的に送信され、各ＵＬ  ＣＣでＰＵＣＣＨとＰＵＳＣＨが独立的に送信されることができる。または、ＰＵＣＣＨは、特定ＵＬ  ＣＣを介してのみ送信されることもできる。
【０１１５】
ＤＬ  ＣＣ−ＵＬ  ＣＣの対が３個定義されるため、端末は、３個のサービングセルからサービスの提供を受けるということができる。
【０１１６】
端末は、複数のＤＬ  ＣＣでＰＤＣＣＨをモニタリングし、複数のＤＬ  ＣＣを介して同時にＤＬトランスポートブロックを受信することができる。端末は、複数のＵＬ  ＣＣを介して同時に複数のＵＬトランスポートブロックを送信することができる。
【０１１７】
ＤＬ  ＣＣ  ＃Ａ（ＤＬコンポーネントキャリアＡ）とＵＬ  ＣＣ  ＃Ａ（ＵＬコンポーネントキャリアＡ）の対が第１のサービングセルになり、ＤＬ  ＣＣ  ＃ＢとＵＬ  ＣＣ  ＃Ｂの対が第２のサービングセルになり、ＤＬ  ＣＣ  ＃ＣとＵＬ  ＣＣ  ＃Ｃが第３のサービングセルになることができる。各サービングセルは、セルインデックス（Ｃｅｌｌ  ｉｎｄｅｘ、ＣＩ）を介して識別されることができる。ＣＩは、セル内で固有または端末−特定的である。
【０１１８】
サービングセルは、プライマリセル（ｐｒｉｍａｒｙ  ｃｅｌｌ）とセカンダリセル（ｓｅｃｏｎｄａｒｙ  ｃｅｌｌ）に区分されることができる。プライマリセルは、端末が初期接続確立過程を実行し、または接続再確立過程を開始し、またはハンドオーバ過程でプライマリセルに指定されたセルである。プライマリセルは、基準セル（ｒｅｆｅｒｅｎｃｅ  ｃｅｌｌ）ともいう。セカンダリセルは、ＲＲＣ接続が確立された後に設定されることができ、追加的な無線リソースの提供に使われることができる。常に少なくとも一つのプライマリセルが設定され、セカンダリセルは上位階層シグナリング（例、ＲＲＣメッセージ）により追加／修正／解除されることができる。プライマリセルのＣＩは、固定されることができる。例えば、最も低いＣＩがプライマリセルのＣＩに指定されることができる。
【０１１９】
プライマリセルは、コンポーネントキャリア側面で、ＤＬ  ＰＣＣ（ｄｏｗｎｌｉｎｋ  ｐｒｉｍａｒｙ  ｃｏｍｐｏｅｎｅｎｔ  ｃａｒｒｉｅｒ）とＵＬ  ＰＣＣ（ｕｐｌｉｎｋ  ｐｒｉｍａｒｙ  ｃｏｍｐｏｎｅｎｔ  ｃａｒｒｉｅｒ）で構成される。セカンダリセルは、コンポーネントキャリア側面で、ＤＬ  ＳＣＣ（ｄｏｗｎｌｉｎｋ  ｓｅｃｏｎｄａｒｙ  ｃｏｍｐｏｎｅｎｔ  ｃａｒｒｉｅｒ）のみで構成され、またはＤＬ  ＳＣＣ及びＵＬ  ＳＣＣ（ｕｐｌｉｎｋ  ｓｅｃｏｎｄａｒｙ  ｃｏｍｐｏｎｅｎｔ  ｃａｒｒｉｅｒ）の対で構成されることができる。
【０１２０】
前述したように、キャリアアグリゲーションシステムでは単一搬送波システムと違って複数のコンポーネントキャリア（ｃｏｍｐｏｎｅｎｔ  ｃａｒｒｉｅｒ、ＣＣ）、即ち、複数のサービングセルをサポートすることができる。
【０１２１】
このようなキャリアアグリゲーションシステムは、交差搬送波スケジューリング（ｃｒｏｓｓ−ｃａｒｒｉｅｒ  ｓｃｈｅｄｕｌｉｎｇ：ＣＣＳ）をサポートすることができる。交差搬送波スケジューリングは、特定コンポーネントキャリアを介して送信されるＰＤＣＣＨを介して他のコンポーネントキャリアを介して送信されるＰＤＳＣＨのリソース割当及び／または前記特定コンポーネントキャリアと基本的にリンクされているコンポーネントキャリア以外の他のコンポーネントキャリアを介して送信されるＰＵＳＣＨのリソース割当をすることができるスケジューリング方法である。即ち、ＰＤＣＣＨとＰＤＳＣＨが互いに異なるＤＬ  ＣＣを介して送信されることができ、ＵＬグラントを含むＰＤＣＣＨが送信されたＤＬ  ＣＣとリンクされたＵＬ  ＣＣではない他のＵＬ  ＣＣを介してＰＵＳＣＨが送信されることができる。このように交差搬送波スケジューリングをサポートするシステムでは、ＰＤＣＣＨが制御情報を提供するＰＤＳＣＨ／ＰＵＳＣＨがどのＤＬ  ＣＣ／ＵＬ  ＣＣを介して送信されるかを知らせる搬送波指示子が必要である。以下、このような搬送波指示子を含むフィールドを搬送波指示フィールド（ｃａｒｒｉｅｒ  ｉｎｄｉｃａｔｉｏｎ  ｆｉｅｌｄ、ＣＩＦ）という。
【０１２２】
交差搬送波スケジューリングをサポートするキャリアアグリゲーションシステムは、搬送波指示子フィールド（ＣＩＦ）を含むことができる。交差搬送波スケジューリングをサポートするシステム、例えば、ＬＴＥ−Ａシステムでは、既存のＤＣＩフォーマット（即ち、ＬＴＥで使用するＤＣＩフォーマット）にＣＩＦが追加されるため、３ビットが拡張されることができ、ＰＤＣＣＨ構造は、既存のコーディング方法、リソース割当方法（即ち、ＣＣＥベースのリソースマッピング）等を再使用することができる。
【０１２３】
基地局は、ＰＤＣＣＨモニタリングＤＬ  ＣＣ（モニタリングＣＣ）集合を設定することができる。ＰＤＣＣＨモニタリングＤＬ  ＣＣ集合は、アグリゲーションされた全体ＤＬ  ＣＣのうち一部ＤＬ  ＣＣで構成され、交差搬送波スケジューリングが設定されると、端末は、ＰＤＣＣＨモニタリングＤＬ  ＣＣ集合に含まれているＤＬ  ＣＣに対してのみＰＤＣＣＨモニタリング／デコーディングを実行する。即ち、基地局は、ＰＤＣＣＨモニタリングＤＬ  ＣＣ集合に含まれているＤＬ  ＣＣを介してのみ、スケジューリングしようとするＰＤＳＣＨ／ＰＵＳＣＨに対するＰＤＣＣＨを送信する。ＰＤＣＣＨモニタリングＤＬ  ＣＣ集合は、端末特定的、端末グループ特定的、またはセル特定的に設定されることができる。
【０１２４】
非交差搬送波スケジューリング（ｎｏｎ−ｃｒｏｓｓ  ｃａｒｒｉｅｒ  ｓｃｈｅｄｕｌｉｎｇ：ＮＣＣＳ）は、特定コンポーネントキャリアを介して送信されるＰＤＣＣＨを介して前記特定コンポーネントキャリアを介して送信されるＰＤＳＣＨのリソース割当及び／または前記特定コンポーネントキャリアと基本的にリンクされているコンポーネントキャリアを介して送信されるＰＵＳＣＨのリソース割当をすることができるスケジューリング方法である。
【０１２５】
以下、３ＧＰＰ  ＬＴＥ  ＴＤＤ（Ｔｉｍｅ  Ｄｉｖｉｓｉｏｎ  Ｄｕｐｌｅｘ）でのＨＡＲＱのためのＡＣＫ／ＮＡＣＫ送信に対して記述する。
【０１２６】
ＴＤＤは、ＦＤＤ（Ｆｒｅｑｕｅｎｃｙ  Ｄｉｖｉｓｉｏｎ  Ｄｕｐｌｅｘ）と違って、一つの無線フレームにＤＬサブフレームとＵＬサブフレームが共存する。ＴＤＤフレームでは、ＵＬ−ＤＬ設定によって、ＵＬサブフレームの個数がＤＬサブフレームの個数より少ない、または同じである。したがって、ＡＣＫ／ＮＡＣＫ信号を送信するためのＵＬサブフレームが足りない場合に備え、複数のＤＬサブフレームで受信したＤＬトランスポートブロックまたはＰＤＳＣＨに対する複数のＡＣＫ／ＮＡＣＫ信号を一つのＵＬサブフレームで送信することをサポートしている。
【０１２７】
３ＧＰＰ  ＴＳ  ３６．２１３  Ｖ８．７．０（２００９−０５）の１０．１節によると、ＡＣＫ／ＮＡＣＫバンドリング（ＡＣＫ／ＮＡＣＫ  ｂｕｎｄｌｉｎｇ）とＡＣＫ／ＮＡＣＫ多重化（ＡＣＫ／ＮＡＣＫ  ｍｕｌｔｉｐｌｅｘｉｎｇ）の二つのＡＣＫ／ＮＡＣＫモードが開示される。
【０１２８】
ＡＣＫ／ＮＡＣＫバンドリングは、端末が受信したＰＤＳＣＨ（ダウンリンクトランスポートブロック）のデコーディングに全部成功する場合はＡＣＫを送信し、以外の場合はＮＡＣＫを送信する。そのために、各ＰＤＳＣＨに対するＡＣＫまたはＮＡＣＫを論理的ＡＮＤ演算（ｌｏｇｉｃａｌ  ＡＮＤ  ｏｐｅｒａｔｉｏｎ）を介して圧縮する。
【０１２９】
ＡＣＫ／ＮＡＣＫ多重化は、ＡＣＫ／ＮＡＣＫチャネル選択（または、単にチャネル選択）ともいう。ＡＣＫ／ＮＡＣＫ多重化によると、端末は、複数のＰＵＣＣＨリソースの中から一つのＰＵＣＣＨリソースを選択してＡＣＫ／ＮＡＣＫを送信する。
【０１３０】
以下の表は、３ＧＰＰ  ＬＴＥにおいて、ＵＬ−ＤＬ設定によるＵＬサブフレームｎと連結された（ａｓｓｏｃｉａｔｅｄ）ＤＬサブフレームｎ−ｋ、ここで、ｋ∈Ｋ、Ｍは集合Ｋの要素の個数を示す（以下、Ｋはｋを含む集合を示し、Ｍは集合Ｋの要素の個数を示す）。即ち、ＤＬサブフレームｎ−ｋでデータを受信すると、ＵＬサブフレームｎで前記データに対するＡＣＫ／ＮＡＣＫを送信し、表５は、各ＵＬサブフレームｎに対してｋ値を各々示す。表５は、一つのセル、例えば、端末にプライマリセルのみが設定された場合、データチャネルを受信するダウンリンクサブフレームと前記データチャネルに対するＡＣＫ／ＮＡＣＫを送信するアップリンクサブフレームとの間の関係を示している。
【０１３１】
【表５】
2019165496.tif 000012
【０１３２】
ＬＴＥ−Ａ  Ｒｅｌ  １０システムでは、一つの端末がアグリゲーションされた複数のセル（ＣＣ）を介してデータを送受信することができる。このとき、複数のセルをスケジューリング／制御するための制御信号は、特定セルのＤＬ  ＣＣのみを介して送信され、または各セルのＤＬ  ＣＣを介して送信されることができる。前者は、交差搬送波スケジューリングといい、後者は、非交差搬送波スケジューリングという。
【０１３３】
以下、制御信号が送信されるＣＣをスケジューリングＣＣといい、残りのＣＣをスケジューリングを受けるＣＣという。ダウンリンクで、非交差搬送波スケジューリングでは、スケジューリングＣＣとスケジューリングを受けるＣＣが同じＣＣであり、交差搬送波スケジューリングでは、スケジューリングＣＣとスケジューリングを受けるＣＣが互いに異なる。
【０１３４】
スケジューリングＣＣには代表的にプライマリＣＣ（ＰＣＣ）がある。ＰＣＣは、アップリンク制御信号を送信するＣＣとして使われる。ＰＣＣでないＣＣは、ＳＣＣという。以下、スケジューリングＣＣの代表的な例としてＰＣＣを使用し、スケジューリングを受けるＣＣの代表的な例としてＳＣＣを使用する。しかし、必ずこれに制限されるものではない。
【０１３５】
一方、ＬＴＥ−Ａ  Ｒｅｌ  １０で動作する端末は、同じフレーム構造を有するＣＣのみをアグリゲーションすることができた。また、複数のＴＤＤ  ＣＣをアグリゲーションする場合、ＵＬ−ＤＬ設定が同じなＣＣのみが使われることができた。そして、非交差搬送波スケジューリングが使われる場合、一つのＣＣで定義されたタイミング関係を複数のＣＣに単純拡大して適用した。
【０１３６】
しかし、将来の無線通信システムでは、アグリゲーションされるＣＣが互いに異なるフレーム構造を使用することができる。例えば、ＦＤＤ  ＣＣとＴＤＤ  ＣＣがアグリゲーションされることができる。
【０１３７】
図１１は、無線通信システムにおいて、複数のサービングセルが互いに異なるタイプの無線フレームを使用する一例を示す。
【０１３８】
図１１を参照すると、端末にプライマリセル（ＰＣｅｌｌ）、セカンダリセル（ＳＣｅｌｌ）が設定されることができる。このような場合、プライマリセルは、ＦＤＤで動作してＦＤＤフレームを使用し、セカンダリセルは、ＴＤＤで動作してＴＤＤフレームを使用することができる。例えば、セカンダリセルのＵＬ−ＤＬ設定は、ＵＬ−ＤＬ設定２である。プライマリセルは、ＦＤＤセルであるため、ダウンリンクサブフレーム（Ｄで表示）とアップリンクサブフレーム（Ｕで表示）が１：１に存在するが、セカンダリセルは、ＴＤＤセルであるため、ダウンリンクサブフレームとアップリンクサブフレームが１：１でない割合で存在できる。
【０１３９】
以下、プライマリセルがスケジューリングセルであり、セカンダリセルがスケジューリングを受けるセルの場合、‘［スケジューリングするプライマリセル，スケジューリングを受けるセカンダリセル］’順序に使用するフレーム構造を表記する。プライマリセルで表示されたセルは、ＰＵＣＣＨを送信するセルと同じ意味である。
【０１４０】
［ＦＤＤ，ＴＤＤｘ］の場合（即ち、プライマリセルがＦＤＤセルであり、セカンダリセルがＴＤＤ  ＵＬ−ＤＬ設定ｘを使用する場合）、前記セカンダリセルで受信したＰＤＳＣＨと前記プライマリセルで送信するＡＣＫ／ＮＡＣＫ（前記ＰＤＳＣＨに対応する）との間のＨＡＲＱタイミングは、１．ＦＤＤセルのＨＡＲＱタイミングを適用し、または２．ＴＤＤ  ＵＬ−ＤＬ設定ｘによるＨＡＲＱタイミングを適用することができる。または、３．ＤＬ基準ＵＬ−ＤＬ設定によるＨＡＲＱタイミングを適用することができる。ＤＬ基準ＵＬ−ＤＬ設定は、ＲＲＣに設定し、または予め決められた基準ＵＬ−ＤＬ設定を使用することができる。
【０１４１】
図１１において、実線で表示した‘ＦＤＤセルＨＡＲＱタイミング’矢印が前記１．ＦＤＤセルのＨＡＲＱタイミングを適用した時、ＰＤＳＣＨとＡＣＫ／ＮＡＣＫとの間のＨＡＲＱタイミングを示す。ＰＤＳＣＨを受信したセカンダリセルのダウンリンクサブフレームとＡＣＫ／ＮＡＣＫを送信するプライマリセルのアップリンクサブフレームとの間の間隔は、常に４サブフレームになる。
【０１４２】
図１１において、点線で表示した‘ＴＤＤ  ＵＬ−ＤＬ設定２によるＨＡＲＱタイミング’矢印が前記２．ＴＤＤ  ＵＬ−ＤＬ設定ｘによるＨＡＲＱタイミングを適用した時、ＰＤＳＣＨとＡＣＫ／ＮＡＣＫとの間のＨＡＲＱタイミングを示す。ＰＤＳＣＨを受信したセカンダリセルのダウンリンクサブフレームとＡＣＫ／ＮＡＣＫを送信するプライマリセルのアップリンクサブフレームとの間の間隔は、ＴＤＤ  ＵＬ−ＤＬ設定２（表５参照）によって決定されることを知ることができる。
【０１４３】
ＤＬ基準ＵＬ−ＤＬ設定は、ＨＡＲＱタイミングを決定するために使われるＵＬ−ＤＬ設定を意味する。例えば、プライマリセルはＦＤＤセルであり、セカンダリセルのＵＬ−ＤＬ設定がＵＬ−ＤＬ設定１であると仮定する。このとき、ＨＡＲＱタイミングを決定するためのＤＬ基準ＵＬ−ＤＬ設定は、セカンダリセルのＵＬ−ＤＬ設定１でないＵＬ−ＤＬ設定４に定まることもできる。即ち、セカンダリセルのＤＬサブフレームでデータチャネルを受信した時、ＵＬ−ＤＬ設定１によりＡＣＫ／ＮＡＣＫを送信するサブフレームを決定するものではなく、ＵＬ−ＤＬ設定４によりＡＣＫ／ＮＡＣＫを送信するサブフレームを決定することもできる（これは単純に理解を容易にするための例示に過ぎない）。
【０１４４】
ＤＬ基準ＵＬ−ＤＬ設定は、主に、プライマリセルとセカンダリセルの両方ともがＴＤＤフレームを使用し、互いに異なるＵＬ−ＤＬ設定を使用する場合に適用されることができる。
【０１４５】
以下の表は、各（プライマリセルのＵＬ−ＤＬ設定＃，セカンダリセルのＵＬ−ＤＬ設定＃）に対してＤＬ基準ＵＬ−ＤＬ設定を示す。
【０１４６】
【表６】
2019165496.tif 000013
【０１４７】
図１２は、無線通信システムにおいて、複数のサービングセルが互いに異なるタイプの無線フレームを使用する他の例を示す。
【０１４８】
図１２を参照すると、端末にＴＤＤフレームを使用するプライマリセル（ＰＣｅｌｌ）が設定され、ＦＤＤフレームを使用するセカンダリセル（ＳＣｅｌｌ）が設定されることができる。
【０１４９】
図１２のように、［ＴＤＤｘ，ＦＤＤ］の場合、セカンダリセルで受信したＰＤＳＣＨとプライマリセルで送信するＡＣＫ／ＮＡＣＫ（前記ＰＤＳＣＨに対応する）との間のＨＡＲＱタイミングは、１．ＴＤＤ  ＵＬ−ＤＬ設定ｘによるＨＡＲＱタイミングを適用することができる。特に、交差搬送波スケジューリングである場合に適用できる。２．ＤＬ基準ＵＬ−ＤＬ設定によるＨＡＲＱタイミングを適用することができる。ＤＬ基準ＵＬ−ＤＬ設定は、ＲＲＣに設定し、または予め決められた基準ＵＬ−ＤＬ設定を使用することができる。
【０１５０】
または、３．ＴＤＤ  ＵＬ−ＤＬ設定ｘによるＨＡＲＱタイミングの適用と前記ＴＤＤ  ＵＬ−ＤＬ設定ｘでのＵＬサブフレームに整列されたＦＤＤセルのＤＬサブフレームに対しては追加的なＨＡＲＱタイミングを適用することができる。
【０１５１】
（プライマリセル，セカンダリセル）の送信方向が（Ｕ，Ｄ）であるサブフレームでのスケジューリングのために、多重サブフレームスケジューリングまたは交差サブフレームスケジューリングが適用されることができる。ＴＤＤ  ＵＬ−ＤＬ設定ｘでのＵＬサブフレームに限定して新しいＨＡＲＱタイミングを適用することができる。
【０１５２】
前述したように、ＬＴＥ−Ａ  Ｒｅｌｅａｓｅ  １０では、一つの端末が複数のセルを利用してデータ／制御情報を送受信することができる。このとき、端末は、初期接続した一つのセルをプライマリセル（ＰＣｅｌｌ）として使用する。プライマリセルを介して追加設定されるセルは、セカンダリセル（ＳＣｅｌｌ）という。プライマリセルは、ＲＬＭ（ｒａｄｉｏ  ｌｉｎｋ  ｍａｎａｇｅｍｅｎｔ）、ＲＲＭ（ｒａｄｉｏ  ｒｅｓｏｕｒｃｅ  ｍａｎａｇｅｍｅｎｔ）、システム情報の送信、ＰＲＡＣＨ（ｐｈｙｓｉｃａｌ  ｒａｎｄｏｍ  ａｃｃｅｓｓ  ｃｈａｎｎｅｌ）送信、アップリンク制御チャネル（ＰＵＣＣＨ）送信などのように、基地局と端末との間の連結を維持するための動作を実行する。それに対し、セカンダリセルは、主に、データチャネルに対するスケジューリング情報、データチャネル送信のために使われる。
【０１５３】
一方、プライマリセルとセカンダリセルは、端末特定的に設定（ＵＥ−ｓｐｅｃｉｆｉｃ）されることができる。即ち、システム上で複数のセルがある時、プライマリセルとして使われる特別なセルが別途に規定されるものではなく、各セルは、プライマリセルまたはセカンダリセルとして使われることができ、各端末では、複数のセルのうち任意の一つをプライマリセルとして使用するようになる。したがって、全てのセルは、前記プライマリセルの動作を実行することができるように構成される。即ち、全てのセルは、同期化信号の送信、ブロードキャストチャネルの送信、セル特定的ＲＳ（ｃｅｌｌ−ｓｐｅｃｉｆｉｃ  ｒｅｆｅｒｅｎｃｅ  ｓｉｇｎａｌ：ＣＳＲ）の送信、ＰＤＣＣＨ領域の設定などを全て具現するようになる。これを逆互換性を有するセル（ｂａｃｋｗａｒｄ  ｃｏｍｐａｔｉｂｌｅ  ｃｅｌｌ）または既存搬送波タイプ（ｌｅｇａｃｙ  ｃａｒｒｉｅｒ  ｔｙｐｅ：ＬＣＴ）であると仮定する。
【０１５４】
それに対し、次期システムでは、セカンダリセルとして使われる時、不要な情報の一部または全部を除去した、逆互換性を有しないセルの導入も考慮している。これを新しい搬送波タイプ（ｎｅｗ  ｃａｒｒｉｅｒ  ｔｙｐｅ：ＮＣＴまたは拡張搬送波（ｅｘｔｅｎｓｉｏｎ  ｃａｒｒｉｅｒ））という。ＮＣＴでは、例えば、ＣＲＳを毎サブフレームで送信せずに一部サブフレーム／周波数区間でのみ送信し、または既存のＰＤＣＣＨのようなダウンリンク制御チャネル領域をなくしたり減らしたりし、端末別に特化させたダウンリンク制御チャネル領域を新しく設定することができる。
【０１５５】
ＦＤＤの場合、ダウンリンクとアップリンクが互いに異なる周波数帯域により区分される。ＮＣＴは、前記ダウンリンク帯域のみを使用して構成することができる。ＴＤＤでは、以下の表に定義されたＵＬ−ＤＬ設定に従い、ダウンリンクサブフレームのみを使用する搬送波を構成し、このように構成された搬送波をＮＣＴとして使用することができる。
【０１５６】
【表７】
2019165496.tif 000014
【０１５７】
ＴＤＤのＵＬ−ＤＬ設定により動作するＴＤＤプライマリセルとＦＤＤセカンダリセル（または、ＦＤＤのダウンリンク帯域のみで構成された搬送波またはダウンリンクサブフレームのみで構成された搬送波）のアグリゲーション時、アグリゲーションされるセルの同じサブフレームで送信方向が異なることがある。即ち、ＴＤＤプライマリセルのアップリンクサブフレームと同じ時点に、ＦＤＤセカンダリセルは、ダウンリンクサブフレームが存在できる。
【０１５８】
セカンダリセルで受信したＰＤＳＣＨに対するＡＣＫ／ＮＡＣＫ送信は、プライマリセルでのみ実行されるように制限されることができる。この場合、ＴＤＤプライマリセルのダウンリンクＨＡＲＱタイミングに従いが、その一方で、ＴＤＤプライマリセルのアップリンクサブフレームと同じ時点のＦＤＤセカンダリセルのダウンリンクサブフレームで受信したＰＤＳＣＨに対しては、いつＡＣＫ／ＮＡＣＫを送信すべきかが決められていないという問題がある。
【０１５９】
特に、プライマリセル、第１及び第２のセカンダリセルのアグリゲーションのように３個以上のセルがアグリゲーションされ、交差搬送波スケジューリングが使われる場合、ＡＣＫ／ＮＡＣＫタイミングの設定方法が必要である。例えば、第２のセカンダリセルが第１のセカンダリセルから交差搬送波スケジューリングされる場合、３個のセル間の組合せによるＡＣＫ／ＮＡＣＫタイミングの設定が必要である。
【０１６０】
ここで、３個のセルは、複数個のセルのうち、スケジューリングとＨＡＲＱタイミングに影響を与えるセルのみを意味する。３個のセル間の組合せは、以下の表のように８個の組合せが可能である。
【０１６１】
【表８】
2019165496.tif 000015
【０１６２】
前記表において、プライマリセル、第１のセカンダリセル（スケジューリングするセル）、第２のセカンダリセル（スケジューリングを受けるセル）に互いに異なるＴＤＤ  ＵＬ−ＤＬ設定を有するセルがない場合を‘Ｓａｍｅ  ＴＤＤ  ＵＬ−ＤＬ  ｃｏｎｆｉｇｕｒａｔｉｏｎ’と表示し、互いに異なるＴＤＤ  ＵＬ−ＤＬ設定を有するセルがある場合を‘Ｄｉｆｆｅｒｅｎｔ  ＴＤＤ  ＵＬ−ＤＬ  ｃｏｎｆｉｇｕｒａｔｉｏｎ’と表示した。
【０１６３】
以下、便宜上、<プライマリセルの動作方法、第１のセカンダリセルの動作方法、第２のセカンダリセルの動作方法>の順序に表記する。第１のセカンダリセルは、第２のセカンダリセルをスケジューリングするセルであり、第２のセカンダリセルは、第１のセカンダリセルからスケジューリングを受けるセルであると仮定する。‘ＴＤＤｘ’は、ＴＤＤ  ＵＬ−ＤＬ設定ｘであるＴＤＤセルを意味する（より正確には、プライマリセルで動作する時のＴＤＤ  ＵＬ−ＤＬ設定がｘであり、またはセル特定的に設定されたＴＤＤ  ＵＬ−ＤＬ設定がｘであるセル）。例えば、ＴＤＤ３は、ＴＤＤ  ＵＬ−ＤＬ設定３に設定されたＴＤＤセルを意味する。
【０１６４】
以下、前記表８の各組合せによるスケジューリングを受けるセルのＨＡＲＱタイミングに対して記述する。即ち、第１のセカンダリセルが第２のセカンダリセルをスケジューリングし、第２のセカンダリセルでＰＤＳＣＨを受信した場合、前記ＰＤＳＣＨに対するＡＣＫ／ＮＡＣＫをプライマリセルで送信する場合、前記ＰＤＳＣＨと前記ＡＣＫ／ＮＡＣＫとの間の時間関係、即ち、ＨＡＲＱタイミングに対して説明する。
【０１６５】
１．<ＦＤＤ、ＦＤＤ、ＴＤＤｘ>
【０１６６】
即ち、プライマリセルはＦＤＤセルであり、第１のセカンダリセルはＦＤＤセルであり、第２のセカンダリセルはＴＤＤｘである場合である。この場合、プライマリセルと第１のセカンダリセルはＦＤＤで動作し、プライマリセルと第１のセカンダリセルでサブフレームの送信方向が一致する。したがって、［ＦＤＤ，ＴＤＤｘ］の場合、即ち、プライマリセルがＦＤＤセルであり、セカンダリセルがＴＤＤｘである場合と同じようなＨＡＲＱタイミングを適用することが最も適している。［ＦＤＤ，ＴＤＤｘ］である場合の代表的な方法として、ＦＤＤのＨＡＲＱタイミングを適用するものである。即ち、セカンダリセルの第１のサブフレームでＰＤＳＣＨを受信し、前記ＰＤＳＣＨに対するＡＣＫ／ＮＡＣＫをプライマリセルの第２のサブフレームで送信するとする時、前記第１のサブフレームと第２のサブフレームとの間隔は、４サブフレームである（サブフレームＮとサブフレームＮ＋４のように）。
【０１６７】
一方、［ＦＤＤ，ＴＤＤｘ］で、非交差搬送波スケジューリングが適用されるか、または交差搬送波スケジューリングが適用されるかによってＨＡＲＱタイミングが変わる場合、非交差搬送波スケジューリングに対するＨＡＲＱタイミングを前記<ＦＤＤ、ＦＤＤ、ＴＤＤｘ>に適用できる。
【０１６８】
２．<ＦＤＤ、ＴＤＤｘ、ＦＤＤ>
【０１６９】
即ち、プライマリセルはＦＤＤセルであり、第１のセカンダリセルはＴＤＤ  ＵＬ−ＤＬ設定ｘにより動作し、第２のセカンダリセルはＦＤＤセルである場合である。この場合、プライマリセルと第１のセカンダリセルとの間で一部サブフレームは、送信方向が異なることがある。しかし、ＦＤＤプライマリセルでは、全てのサブフレームでダウンリンク送信とアップリンク送信が可能なため、［ＴＤＤｘ，ＦＤＤ］である場合と同じようなＨＡＲＱタイミングを適用することができる。代表的な方法として、ＴＤＤｘのＨＡＲＱタイミングを適用することができる。ここで、同じサブフレームに対して（スケジューリングするセカンダリセル，スケジューリングを受けるセカンダリセル）の送信方向が（Ｕ，Ｄ）である場合のスケジューリングのために、多重サブフレームスケジューリングまたは交差サブフレームスケジューリングが適用されることができる。多重サブフレームスケジューリングとは、一つのＰＤＣＣＨにより複数のサブフレームで受信するＰＤＳＣＨをスケジューリングすることであり、交差サブフレームスケジューリングとは、第１のサブフレームのＰＤＣＣＨを介して第２のサブフレームのＰＤＳＣＨをスケジューリングすることである。ＴＤＤｘのアップリンクサブフレームに限定して新しいＨＡＲＱタイミングを適用し、またはＦＤＤセルのＨＡＲＱタイミングを適用することができる。一方、［ＴＤＤｘ，ＦＤＤ］で、非交差搬送波スケジューリングが適用されるか、または交差搬送波スケジューリングが適用されるかによってＨＡＲＱタイミングが変わる場合、交差搬送波スケジューリングに対するＨＡＲＱタイミングを前記<ＦＤＤ、ＴＤＤｘ、ＦＤＤ>に適用できる。
【０１７０】
または、プライマリセルがＦＤＤセルであるため、［ＦＤＤ，ＦＤＤ］と同じようなＨＡＲＱタイミングを適用することができる。即ち、ＦＤＤセルのＨＡＲＱタイミングを適用する。ここで、（スケジューリングするセカンダリセル，スケジューリングを受けるセカンダリセル）の送信方向が（Ｕ，Ｄ）である場合のスケジューリングのために、多重サブフレームスケジューリングまたは交差サブフレームスケジューリングが適用されることができる。一方、［ＦＤＤ，ＦＤＤ］で、非交差搬送波スケジューリングが適用されるか、または交差搬送波スケジューリングが適用されるかによってＨＡＲＱタイミングが変わる場合、非交差搬送波スケジューリングに対するＨＡＲＱタイミングを前記<ＦＤＤ、ＴＤＤｘ、ＦＤＤ>に適用できる。
【０１７１】
３．<ＦＤＤ、ＴＤＤｘ、ＴＤＤｘ>
【０１７２】
即ち、プライマリセルはＦＤＤセルであり、第１のセカンダリセルはＴＤＤ  ＵＬ−ＤＬ設定ｘにより動作し、第２のセカンダリセルはＴＤＤ  ＵＬ−ＤＬ設定ｘにより動作する場合である。
【０１７３】
この場合、第１のセカンダリセルと第２のセカンダリセルは、同じＵＬ−ＤＬ設定を使用するため、使用可能なサブフレームの送信方向が一致する。したがって、［ＦＤＤ，ＴＤＤｘ］である場合と同じようなＨＡＲＱタイミングを適用することができる。例えば、ＦＤＤセルのＨＡＲＱタイミングを適用することができる。一方、［ＦＤＤ，ＴＤＤｘ］で、非交差搬送波スケジューリングが適用されるか、または交差搬送波スケジューリングが適用されるかによってＨＡＲＱタイミングが変わる場合、非交差搬送波スケジューリングに対するＨＡＲＱタイミングを前記<ＦＤＤ、ＴＤＤｘ、ＴＤＤｘ>に適用できる。
【０１７４】
４．<ＴＤＤｘ、ＴＤＤｘ、ＦＤＤ>
【０１７５】
即ち、プライマリセルはＴＤＤ  ＵＬ−ＤＬ設定ｘにより動作し、第１のセカンダリセルはＴＤＤ  ＵＬ−ＤＬ設定ｘにより動作し、第２のセカンダリセルはＦＤＤセルである場合である。
【０１７６】
この場合、プライマリセルと第１のセカンダリセルで同じＵＬ−ＤＬ設定を使用するため、プライマリセルと第１のセカンダリセルとの間で使用可能なサブフレームの送信方向が一致する。したがって、［ＴＤＤｘ，ＦＤＤ］である場合と同じようなＨＡＲＱタイミングを適用することが最も適している。一方、［ＴＤＤｘ，ＦＤＤ］で、非交差搬送波スケジューリングが適用されるか、または交差搬送波スケジューリングが適用されるかによってＨＡＲＱタイミングが変わる場合、非交差搬送波スケジューリングに対するＨＡＲＱタイミングを前記<ＴＤＤｘ、ＴＤＤｘ、ＦＤＤ>に適用できる。
【０１７７】
５．<ＴＤＤｘ、ＦＤＤ、ＴＤＤｘ>
【０１７８】
即ち、プライマリセルはＴＤＤ  ＵＬ−ＤＬ設定ｘにより動作し、第１のセカンダリセルはＦＤＤセルであり、第２のセカンダリセルはＴＤＤ  ＵＬ−ＤＬ設定ｘにより動作する場合である。
【０１７９】
この場合、プライマリセルと第１のセカンダリセルとの間では一部サブフレームの送信方向が異なり、プライマリセルの各方向送信が全てのサブフレームで可能ではない。したがって、［ＴＤＤｘ，ＴＤＤｘ］である場合と同じようなＨＡＲＱタイミングを適用することが最も適している。一方、［ＴＤＤｘ，ＴＤＤｘ］で、非交差搬送波スケジューリングが適用されるか、または交差搬送波スケジューリングが適用されるかによってＨＡＲＱタイミングが変わる場合、非交差搬送波スケジューリングに対するＨＡＲＱタイミングを前記<ＴＤＤｘ、ＦＤＤ、ＴＤＤｘ>に適用できる。
【０１８０】
前述した１乃至５の５個の組合せは、プライマリセル、第１及び第２のセカンダリセルでＴＤＤ  ＵＬ−ＤＬ設定が一種類のみ含まれている。このような組合せに対しては共通的に［プライマリセル，スケジューリングを受けるセカンダリセル］である場合のＨＡＲＱタイミングを適用することができる。ただし、例外的に特定サブフレームの送信方向が（Ｕ，Ｄ）である場合に対しては別途のＨＡＲＱタイミングを適用することができる。
【０１８１】
６．<ＦＤＤ、ＴＤＤｘ、ＴＤＤｙ>
【０１８２】
即ち、プライマリセルはＦＤＤセルであり、第１のセカンダリセルはＴＤＤ  ＵＬ−ＤＬ設定ｘにより動作し、第２のセカンダリセルはＴＤＤ  ＵＬ−ＤＬ設定ｙにより動作する場合である。
【０１８３】
この場合、プライマリセルと第１のセカンダリセル（スケジューリングするセカンダリセル）との間で一部サブフレームの送信方向が異なるが、ＦＤＤプライマリセルは、全てのサブフレームでダウンリンク／アップリンク送信が可能である。それに対し、第１のセカンダリセルと第２のセカンダリセルは、互いに異なるＴＤＤ  ＵＬ−ＤＬ設定を使用するため、一部サブフレームの送信方向が異なる。したがって、［ＴＤＤｘ，ＴＤＤｙ］である場合と同じようなＨＡＲＱタイミングを適用することができる。代表的な方法として、前記表．ｔａｂｌｅ  １０．２−１のように導出されるＤＬ−基準ＵＬ−ＤＬ設定によるＨＡＲＱタイミングを適用することである。ここで、（スケジューリングするセカンダリセル，スケジューリングを受けるセカンダリセル）の送信方向が（Ｕ，Ｄ）である場合のスケジューリングのために、多重サブフレームスケジューリングまたは交差サブフレームスケジューリングが適用されることができる。ＴＤＤ  ＵＬ−ＤＬ設定ｘでのＵＬサブフレームに限定して新しいＨＡＲＱタイミングを適用し、またはＦＤＤセルのＨＡＲＱタイミングを適用することができる。一方、［ＴＤＤｘ，ＴＤＤｙ］で、非交差搬送波スケジューリングが適用されるか、または交差搬送波スケジューリングが適用されるかによってＨＡＲＱタイミングが変わる場合、交差搬送波スケジューリングに対するＨＡＲＱタイミングを前記<ＦＤＤ、ＴＤＤｘ、ＴＤＤｙ>に適用できる。
【０１８４】
または、［ＦＤＤ，ＴＤＤｙ］と同じようなＨＡＲＱタイミングを適用することができる。例えば、ＦＤＤセルのＨＡＲＱタイミングを適用する。ここで、（スケジューリングするセカンダリセル，スケジューリングを受けるセカンダリセル）の送信方向が（Ｕ，Ｄ）である場合のスケジューリングのために、多重サブフレームスケジューリングまたは交差サブフレームスケジューリングが適用されることができる。一方、［ＦＤＤ，ＴＤＤｙ］で、非交差搬送波スケジューリングが適用されるか、または交差搬送波スケジューリングが適用されるかによってＨＡＲＱタイミングが変わる場合、非交差搬送波スケジューリングに対するＨＡＲＱタイミングを前記<ＦＤＤ、ＴＤＤｘ、ＴＤＤｙ>に適用できる。
【０１８５】
７．<ＴＤＤｘ、ＴＤＤｙ、ＦＤＤ>
【０１８６】
即ち、プライマリセルはＴＤＤ  ＵＬ−ＤＬ設定ｘにより動作し、第１のセカンダリセルはＴＤＤ  ＵＬ−ＤＬ設定ｙにより動作し、第２のセカンダリセルはＦＤＤセルである場合である。
【０１８７】
図１３は、<ＴＤＤ０、ＴＤＤ２、ＦＤＤ>である場合を例示する。
【０１８８】
図１３を参照すると、プライマリセルはＵＬ−ＤＬ設定０を使用し、第１のセカンダリセルはＵＬ−ＤＬ設定２を使用し、第２のセカンダリセルはＦＤＤセルである。
【０１８９】
この場合、プライマリセルと第１のセカンダリセル（スケジューリングするセカンダリセル）との間の一部サブフレームで送信方向が異なることがあり、第１のセカンダリセルと第２のセカンダリセルとの間で一部サブフレームの送信方向が異なることがある。
【０１９０】
このような点を考慮する時、第２のセカンダリセルで受信したＰＤＳＣＨとプライマリセルで送信するＡＣＫ／ＮＡＣＫとの間のＨＡＲＱタイミングに［ＴＤＤｘ，ＴＤＤｙ］である場合と同じようなＨＡＲＱタイミングを適用することができる。即ち、プライマリセルと第１のセカンダリセルのみがアグリゲーションされた時に適用されるＨＡＲＱタイミングを適用することができる。データチャネルを第２のセカンダリセルのサブフレームｎ−ｋで受信した場合、前記データチャネルに対するＡＣＫ／ＮＡＣＫを送信するプライマリセルのサブフレームｎは、第１のセカンダリセルのサブフレームｎ−ｋで前記データチャネルを受信した場合と同じように決定されることができる。
【０１９１】
代表的な方法として、前記表６により導出されるＤＬ基準ＵＬ−ＤＬ設定によるＨＡＲＱタイミングを適用することである。ここで、（スケジューリングするセカンダリセル，スケジューリングを受けるセカンダリセル）の送信方向が（Ｕ，Ｄ）である場合のスケジューリングのために、多重サブフレームスケジューリングまたは交差サブフレームスケジューリングが適用されることができる。ＴＤＤ  ＵＬ−ＤＬ設定ｘでのＵＬサブフレームに限定して新しいＨＡＲＱタイミングを適用することができる。一方、［ＴＤＤｘ，ＴＤＤｙ］で、非交差搬送波スケジューリングが適用されるか、または交差搬送波スケジューリングが適用されるかによってＨＡＲＱタイミングが変わる場合、非交差搬送波スケジューリングに対するＨＡＲＱタイミングを前記<ＴＤＤｘ、ＴＤＤｙ、ＦＤＤ>に適用できる。
【０１９２】
または、第２のセカンダリセルで受信したＰＤＳＣＨとプライマリセルで送信するＡＣＫ／ＮＡＣＫとの間のＨＡＲＱタイミングに［ＴＤＤｘ，ＦＤＤ］と同じようなＨＡＲＱタイミングを適用することができる。即ち、プライマリセルと第２のセカンダリセルのみがアグリゲーションされた時と同じようなＨＡＲＱタイミングを適用することができる。例えば、ＴＤＤ  ＵＬ−ＤＬ設定ｘによるＨＡＲＱタイミングを適用する。
【０１９３】
例えば、第１のセカンダリセルからスケジューリング情報を受信し、第２のセカンダリセルからデータチャネル（前記スケジューリング情報によりスケジューリングされる）を受信し、プライマリセルを介して前記データチャネルに対するＡＣＫ／ＮＡＣＫを送信する場合を仮定する。このとき、前記プライマリセル及び前記第１のセカンダリセルは、互いに異なるＵＬ−ＤＬ設定及びＴＤＤ（ｔｉｍｅ  ｄｉｖｉｓｉｏｎ  ｄｕｐｌｅｘ）フレームを使用するセルであり、前記第２のセカンダリセルは、ＦＤＤ（ｆｒｅｑｕｅｎｃｙ  ｄｉｖｉｓｉｏｎ  ｄｕｐｌｅｘ）フレームを使用するセルである。このとき、データチャネルを前記第２のセカンダリセルのサブフレームｎ−ｋで受信し、前記データチャネルに対するＡＣＫ／ＮＡＣＫを前記プライマリセルのサブフレームｎで送信する場合、前記サブフレームｎに対する前記ｋ値は、前記表５のように決定される。
【０１９４】
（スケジューリングするセカンダリセル，スケジューリングを受けるセカンダリセル）の送信方向が（Ｕ，Ｄ）である場合のスケジューリングのために、多重サブフレームスケジューリングまたは交差サブフレームスケジューリングが適用されることができる。一方、（ＴＤＤｘ，ＴＤＤｙ）の送信方向が（Ｄ，Ｕ）であるサブフレームでのＰＤＳＣＨの場合、スケジューリングを制限することができる。この場合、端末は、スケジューリングを受けるセルの該当サブフレームのＰＤＣＣＨまたはｅＰＤＣＣＨの受信を試みない。一方、［ＴＤＤｘ，ＦＤＤ］で、非交差搬送波スケジューリングが適用されるか、または交差搬送波スケジューリングが適用されるかによってＨＡＲＱタイミングが変わる場合、非交差搬送波スケジューリングに対するＨＡＲＱタイミングを前記<ＴＤＤｘ、ＴＤＤｙ、ＦＤＤ>に適用できる。
【０１９５】
８．<ＴＤＤｘ、ＦＤＤ、ＴＤＤｙ>
【０１９６】
即ち、プライマリセルはＴＤＤ  ＵＬ−ＤＬ設定ｘにより動作し、第１のセカンダリセルはＦＤＤセルであり、第２のセカンダリセルはＴＤＤ  ＵＬ−ＤＬ設定ｙにより動作する場合である。
【０１９７】
図１４は、<ＴＤＤ０、ＦＤＤ、ＴＤＤ２>である場合を例示する。
【０１９８】
図１４を参照すると、プライマリセルはＵＬ−ＤＬ設定０を使用し、第１のセカンダリセルはＦＤＤセルであり、第２のセカンダリセルはＵＬ−ＤＬ設定２を使用する。
【０１９９】
この場合、プライマリセルと第１のセカンダリセル（スケジューリングするセカンダリセル）との間の一部サブフレームで送信方向が異なりことがあり、第１のセカンダリセルと第２のセカンダリセルとの間で一部サブフレームの送信方向が異なることがある。
【０２００】
第２のセカンダリセルで受信したＰＤＳＣＨとプライマリセルで送信するＡＣＫ／ＮＡＣＫとの間のＨＡＲＱタイミングに［ＴＤＤｘ，ＴＤＤｙ］である場合と同じようなＨＡＲＱタイミングを適用することができる。代表的な方法として、前記表６により導出されるＤＬ基準ＵＬ−ＤＬ設定によるＨＡＲＱタイミングを適用することができる。ここで、（スケジューリングするセカンダリセル，スケジューリングを受けるセカンダリセル）の送信方向が（Ｕ，Ｄ）である場合のスケジューリングのために、多重サブフレームスケジューリングまたは交差サブフレームスケジューリングが適用されることができる。ＴＤＤ  ＵＬ−ＤＬ設定ｘでのＵＬサブフレームに限定して新しいＨＡＲＱタイミングを適用することができる。一方、［ＴＤＤｘ，ＴＤＤｙ］で、非交差搬送波スケジューリングが適用されるか、または交差搬送波スケジューリングが適用されるかによってＨＡＲＱタイミングが変わる場合、非交差搬送波スケジューリングに対するＨＡＲＱタイミングを前記<ＴＤＤｘ、ＦＤＤ、ＴＤＤｙ>に適用できる。
【０２０１】
または、第２のセカンダリセルで受信したＰＤＳＣＨとプライマリセルで送信するＡＣＫ／ＮＡＣＫとの間のＨＡＲＱタイミングに［ＦＤＤ，ＴＤＤｙ］である場合と同じようなＨＡＲＱタイミングを適用することができる。一方、（ＴＤＤｘ，ＦＤＤ）の送信方向が（Ｄ，Ｕ）であるサブフレームでのＰＤＳＣＨの場合、スケジューリングを制限することができる。この場合、端末は、スケジューリングを受けるセルの該当サブフレームのＰＤＣＣＨまたはｅＰＤＣＣＨの受信を試みない。一方、［ＦＤＤ，ＴＤＤｙ］で、非交差搬送波スケジューリングが適用されるか、または交差搬送波スケジューリングが適用されるかによってＨＡＲＱタイミングが変わる場合、交差搬送波スケジューリングに対するＨＡＲＱタイミングを前記<ＴＤＤｘ、ＦＤＤ、ＴＤＤｙ>に適用できる。
【０２０２】
図１５は、本発明の一実施例に係る端末のＡＣＫ／ＮＡＣＫ送信方法を示す。
【０２０３】
図１５を参照すると、端末は、第１のセカンダリセルでスケジューリング情報を受信する（Ｓ１５１）。端末は、第２のセカンダリセルで前記スケジューリング情報によりスケジューリングされたデータチャネルを受信する（Ｓ１５２）。
【０２０４】
端末は、プライマリセルを介して前記データに対するＡＣＫ／ＮＡＣＫを送信する（Ｓ１５３）。
【０２０５】
前記データチャネルを受信するサブフレームと前記ＡＣＫ／ＮＡＣＫを送信するサブフレームとの間の関係を示すＨＡＲＱタイミングに対しては、前記１．乃至８．で各々説明した。
【０２０６】
図１６は、本発明の実施例が具現される無線機器を示すブロック図である。
【０２０７】
基地局１００は、プロセッサ（ｐｒｏｃｅｓｓｏｒ）１１０、メモリ（ｍｅｍｏｒｙ）１２０及びＲＦ部（ＲＦ（ｒａｄｉｏ  ｆｒｅｑｕｅｎｃｙ）ｕｎｉｔ）１３０を含む。プロセッサ１１０は、提案された機能、過程及び／または方法を具現する。例えば、プロセッサ１１０は、端末に３個のセルを設定することができる。前記３個のセルは、プライマリセル、第１のセカンダリセル及び第２のセカンダリセルである。前記プライマリセル及び前記第１のセカンダリセルは、ＴＤＤ（ｔｉｍｅ  ｄｉｖｉｓｉｏｎ  ｄｕｐｌｅｘ）フレームを使用するセルであり、前記第２のセカンダリセルは、ＦＤＤ（ｆｒｅｑｕｅｎｃｙ  ｄｉｖｉｓｉｏｎ  ｄｕｐｌｅｘ）フレームを使用するセルである。第２のセカンダリセルを介してデータチャネルを送信し、プライマリセルを介して前記データチャネルに対するＡＣＫ／ＮＡＣＫを受信することができる。メモリ１２０は、プロセッサ１１０と連結され、プロセッサ１１０を駆動するための多様な情報を格納する。ＲＦ部１３０は、プロセッサ１１０と連結され、無線信号を送信及び／または受信する。
【０２０８】
端末２００は、プロセッサ２１０、メモリ２２０及びＲＦ部２３０を含む。プロセッサ２１０は、提案された機能、過程及び／または方法を具現する。例えば、プロセッサ２１０は、３個のセルのアグリゲーションをサポートすることができる。前記３個のセルは、プライマリセル、第１のセカンダリセル及び第２のセカンダリセルである。前記プライマリセル及び前記第１のセカンダリセルは、ＴＤＤ（ｔｉｍｅ  ｄｉｖｉｓｉｏｎ  ｄｕｐｌｅｘ）フレームを使用するセルであり、前記第２のセカンダリセルは、ＦＤＤ（ｆｒｅｑｕｅｎｃｙ  ｄｉｖｉｓｉｏｎ  ｄｕｐｌｅｘ）フレームを使用するセルである。第２のセカンダリセルを介してデータチャネルを受信し、プライマリセルを介して前記データチャネルに対するＡＣＫ／ＮＡＣＫを送信することができる。このとき、前記データチャネルとＡＣＫ／ＮＡＣＫの送信時点に対しては前述した。メモリ２２０は、プロセッサ２１０と連結され、プロセッサ２１０を駆動するための多様な情報を格納する。ＲＦ部２３０は、プロセッサ２１０と連結され、無線信号を送信及び／または受信する。
【０２０９】
プロセッサ１１０、２１０は、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路、データ処理装置及び／またはベースバンド信号及び無線信号を相互変換する変換器を含むことができる。メモリ１２０、２２０は、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／または他の格納装置を含むことができる。ＲＦ部１３０、２３０は、無線信号を送信及び／または受信する一つ以上のアンテナを含むことができる。実施例がソフトウェアで具現される時、前述した技法は、前述した機能を遂行するモジュール（過程、機能など）で具現されることができる。モジュールは、メモリ１２０、２２０に格納され、プロセッサ１１０、２１０により実行されることができる。メモリ１２０、２２０は、プロセッサ１１０、２１０の内部または外部にあり、よく知られた多様な手段によりプロセッサ１１０、２１０と連結されることができる。
【図１】
2019165496.tif 000018
【図２】
2019165496.tif 000019
【図３】
2019165496.tif 000020
【図４】
2019165496.tif 000021
【図５】
2019165496.tif 000022
【図６】
2019165496.tif 000023
【図７】
2019165496.tif 000024
【図８】
2019165496.tif 000025
【図９】
2019165496.tif 000026
【図１０】
2019165496.tif 000027
【図１１】
2019165496.tif 000028
【図１２】
2019165496.tif 000029
【図１３】
2019165496.tif 000030
【図１４】
2019165496.tif 000031
【図１５】
2019165496.tif 000032
【図１６】
2019165496.tif 000033